(57)【特許請求の範囲】
【請求項１】
基地局で、移動体デバイスから性能測定値および位置データを入手することと、
前記基地局で、前記位置データに基づいて、格納された測定値を定義するために、前記入手された測定値の少なくとも一部をストレージアレイの少なくとも１つの仮想地理ビンに格納することと、前記基地局は、関連するカバレージエリアを複数の仮想地理ビンに分割するように構成され、各仮想地理ビンは、前記基地局によってサービスされるセル内の異なる地理区域に対応し、各仮想地理ビンのサイズは、前記セル内の対応する地理区域のカバレージ情報の粒度および前記カバレージ情報の処理の複雑さおよびストレージ要件に少なくとも基づいて決定され、
前記基地局で、各仮想地理ビンに格納された前記格納された測定値の少なくとも一部を各仮想地理ビンについての１つまたは複数の位置ベースの性能測定値に集約することと、
前記基地局から、前記位置ベースの性能測定値の少なくとも一部を網マネージャに伝送することと、
前記網マネージャから構成変更を受信することと、前記構成変更は、各仮想地理ビンについての前記集約された位置ベースの性能測定値に基づくとともに、前記集約された位置ベースの性能測定値は、カバレージ最適化アルゴリズムを実行するべく集約されたカバレージ統計を備え、ネットワークキャパシティディメンショニング及び予算計画に使用される、
を備える、無線網の性能測定値を生成する方法。
【請求項２】
前記網マネージャから情報を受信し、前記伝送されたデータに応答して、定義された地理領域のうちの少なくとも１つを再定義するように前記基地局に促すこと
をさらに備える、請求項１に記載の方法。
【請求項３】
前記集約することは、１つまたは複数の位置ベースの性能測定値を生成するために、複数の仮想地理ビンからの前記格納された測定値の少なくとも一部を集約することをさらに備える、請求項１に記載の方法。
【請求項４】
前記仮想地理ビンは、複数の時間期間に論理的に分割され、前記格納することは、前記性能測定値が受け取られた時刻に従って仮想地理ビンそれぞれの選択された分割において前記性能測定値の前記少なくとも一部を格納することをさらに備える、請求項１に記載の方法。
【請求項５】
前記仮想地理ビンに対応する前記定義された地理区域は、前記基地局によってサービスされる前記セル全体にわたって連続的に均一に分布される、請求項１に記載の方法。
【請求項６】
前記仮想地理ビンは、前記基地局によってサービスされる前記セルを通って定義される方向に対応する定義されたデカルト座標に連続的に分布される、請求項１に記載の方法。
【請求項７】
前記仮想地理ビンは、前記基地局を中心とする定義された極座標を用いて前記基地局によってサービスされる前記セルに連続的に分布される、請求項１に記載の方法。
【請求項８】
前記仮想地理ビンは、１つまたは複数の識別された位置で仮想地理ビンのより高い密度を伴って、前記基地局によってサービスされる前記セル全体にわたって不均一に連続的に分布される、請求項１に記載の方法。
【請求項９】
基地局で、移動体デバイスから性能測定値および位置データを入手するための第１モジュールと、
前記基地局で、前記位置データに基づいて、格納された測定値を定義するために、前記入手された測定値の少なくとも一部をストレージアレイの少なくとも１つの仮想地理ビンに格納するための第２モジュールと、前記基地局は、関連するカバレージエリアを複数の仮想地理ビンに分割するように構成され、各仮想地理ビンは、前記基地局によってサービスされるセル内の異なる地理区域に対応し、各仮想地理ビンのサイズは、前記セル内の対応する地理区域のカバレージ情報の粒度および前記カバレージ情報の処理の複雑さおよびストレージ要件に少なくとも基づいて決定され、
前記基地局で、各仮想地理ビンに格納された前記格納された測定値の少なくとも一部を各仮想地理ビンについての１つまたは複数の位置ベースの性能測定値に集約するための第３モジュールと、
前記基地局から、前記位置ベースの性能測定値の少なくとも一部を網マネージャに伝送するためのハードウェアを備える第４モジュールと、
前記網マネージャから構成変更を受信するための第５モジュールと、前記構成変更は、各仮想地理ビンの前記集約された位置ベースの性能測定値に基づくとともに、前記集約された位置ベースの性能測定値は、カバレージ最適化アルゴリズムを実行するべく集約されたカバレージ統計を備え、ネットワークキャパシティディメンショニング及び予算計画に使用される、
を備える、無線網の性能測定値を生成するように構成された少なくとも１つのプロセッサ。
【請求項１０】
コンピュータに、移動体デバイスから性能測定値および位置データを入手させるためのコードの第１組と、
前記コンピュータに、前記位置データに基づいて、格納された測定値を定義するために、前記入手された測定値の少なくとも一部をストレージアレイの少なくとも１つの仮想地理ビンに格納させるためのコードの第２組と、基地局は、関連するカバレージエリアを複数の仮想地理ビンに分割するように構成され、各仮想地理ビンは、前記コンピュータによってサービスされるセル内の異なる地理区域に対応し、各仮想地理ビンのサイズは、前記セル内の対応する地理区域のカバレージ情報の粒度および前記カバレージ情報の処理の複雑さおよびストレージ要件に少なくとも基づいて決定され、
前記コンピュータに、各仮想地理ビンに格納された前記格納された測定値の少なくとも一部を各仮想地理ビンについての１つまたは複数の位置ベースの性能測定値に集約させるためのコードの第３組と、
前記コンピュータに、前記位置ベースの性能測定値の少なくとも一部を網マネージャに伝送させるためのコードの第４組と、
前記コンピュータに、前記網マネージャから構成変更を受信させるためのコードの第５組と、前記構成変更は、各仮想地理ビンについての前記集約された位置ベースの性能測定値に基づくとともに、前記集約された位置ベースの性能測定値は、カバレージ最適化アルゴリズムを実行するべく集約されたカバレージ統計を備え、ネットワークキャパシティディメンショニング及び予算計画に使用される、
を備えるコンピュータ可読記録媒体。
【請求項１１】
基地局で、移動体デバイスから性能測定値および位置データを入手する手段と、
前記基地局で、前記位置データに基づいて、格納された測定値を定義するために、前記入手された測定値の少なくとも一部をストレージアレイの少なくとも１つの仮想地理ビンに格納する手段と、前記基地局は、関連するカバレージエリアを複数の仮想地理ビンに分割するように構成され、各仮想地理ビンは、前記基地局によってサービスされるセル内の異なる地理区域に対応し、各仮想地理ビンのサイズは、前記セル内の対応する地理区域のカバレージ情報の粒度および前記カバレージ情報の処理の複雑さおよびストレージ要件に少なくとも基づいて決定され、
前記基地局で、各仮想地理ビンに格納された前記格納された測定値の少なくとも一部を各仮想地理ビンについての１つまたは複数の位置ベースの性能測定値に集約する手段と、
前記基地局から、前記位置ベースの性能測定値の少なくとも一部を網マネージャに伝送する手段と、
前記網マネージャから構成変更を受信する手段と、前記構成変更は、各仮想地理ビンについての前記集約された位置ベースの性能測定値に基づくとともに、前記集約された位置ベースの性能測定値は、カバレージ最適化アルゴリズムを実行するべく集約されたカバレージ統計を備え、ネットワークキャパシティディメンショニング及び予算計画に使用される、
を備える装置。
【請求項１２】
装置であって、
移動体デバイスから性能測定値および位置データを入手するように動作可能な受信機と、
前記位置データに基づいて、格納された測定値を定義するために、前記入手された測定値の少なくとも一部をストレージアレイの少なくとも１つの仮想地理ビンに格納するように動作可能なストレージモジュールと、基地局は、関連するカバレージエリアを複数の仮想地理ビンに分割するように構成され、各仮想地理ビンは、前記装置によってサービスされるセル内の異なる地理区域に対応し、各仮想地理ビンのサイズは、前記セル内の対応する地理区域のカバレージ情報の粒度および前記カバレージ情報の処理の複雑さおよびストレージ要件に少なくとも基づいて決定され、
各仮想地理ビンに格納された前記格納された測定値の少なくとも一部を１つまたは複数の位置ベースの性能測定値に集約するように動作可能な処理モジュールと、
前記位置ベースの性能測定値の少なくとも一部を網マネージャに伝送するように動作可能な送信機と、を備え、
前記受信機は、前記網マネージャから構成変更を受信するように動作可能であって、前記構成変更は、集約された位置ベースの性能測定値に基づくとともに、前記集約された位置ベースの性能測定値は、カバレージ最適化アルゴリズムを実行するべく集約されたカバレージ統計を備え、ネットワークキャパシティディメンショニング及び予算計画に使用される、
装置。
【請求項１３】
前記受信機は、前記網マネージャから情報を受信し、前記伝送されたデータに応答して、定義された地理領域のうちの少なくとも１つを再定義するように前記基地局に促すようにさらに動作可能である、請求項１２に記載の装置。
【請求項１４】
前記処理モジュールは、１つまたは複数の位置ベースの性能測定値を生成するために、複数の仮想地理ビンからの前記格納された測定値の少なくとも一部を集約するようにさらに動作可能である、請求項１２に記載の装置。
【請求項１５】
前記仮想地理ビンは、複数の時間期間に論理的に分割され、前記格納することは、前記性能測定値が受け取られた時刻に従って仮想地理ビンそれぞれの選択された分割において前記性能測定値の前記少なくとも一部を格納することをさらに備える、請求項１２に記載の装置。
【請求項１６】
前記仮想地理ビンに対応する前記定義された地理区域は、前記基地局によってサービスされる前記セル全体にわたって連続的に均一に分布される、請求項１２に記載の装置。
【請求項１７】
前記仮想地理ビンは、前記基地局によってサービスされる前記セルを通って定義される方向に対応する定義されたデカルト座標に連続的に分布される、請求項１２に記載の装置。
【請求項１８】
前記仮想地理ビンは、前記基地局を中心とする定義された極座標を用いて前記基地局によってサービスされる前記セルに連続的に分布される、請求項１２に記載の装置。
【請求項１９】
前記仮想地理ビンは、１つまたは複数の識別された位置で仮想地理ビンのより高い密度を伴って、前記基地局によってサービスされる前記セル全体にわたって不均一に連続的に分布する、請求項１２に記載の装置。
【発明の詳細な説明】
【技術分野】
【０００１】
米国特許法第１１９条の下での優先権の主張
本特許出願は、２００８年６月１３日に出願され、本願の譲受人に譲渡され、これによって参照によって特に本明細書に組み込まれる米国仮出願第６１／０６１４８９号、名称「Ａｐｐａｒａｔｕｓ  ａｎｄ  Ｍｅｔｈｏｄ  ｆｏｒ  Ｇｅｎｅｒａｔｉｎｇ  Ｐｅｒｆｏｒｍａｎｃｅ  Ｍｅａｓｕｒｅｍｅｎｔｓ  ｉｎ  Ｗｉｒｅｌｅｓｓ  Ｎｅｔｗｏｒｋｓ」の優先権を主張するものである。
【０００２】
本態様は、無線通信デバイスに関し、より具体的には、無線網内の性能測定値を生成する装置および方法に関する。
【背景技術】
【０００３】
無線通信システムは、さまざまなタイプの通信を提供するために広く展開されており、たとえば、音声および／またはデータを、そのような無線通信システムを介して提供することができる。通常の無線通信システムまたは無線通信網は、複数のユーザに１つまたは複数の共有リソース（たとえば、帯域幅、伝送電力など）へのアクセスを提供することができる。たとえば、あるシステムが、周波数分割多重（ＦＤＭ）、時分割多重（ＴＤＭ）、符号分割多重（ＣＤＭ）、直交周波数分割多重（ＯＦＤＭ）、および他などのさまざまな多元接続技法を使用することができる。
【０００４】
一般に、無線多元接続通信システムは、複数の移動体デバイスの通信を同時発生的にサポートすることができる。各移動体デバイスは、順方向リンクおよび逆方向リンクでの伝送を介して１つまたは複数の網要素（たとえば、基地局）と通信することができる。順方向リンク（またはダウンリンク）は、基地局から移動体デバイスへの通信リンクを指し、逆方向リンク（またはアップリンク）は、移動体デバイスから基地局への通信リンクを指す。
【０００５】
無線通信システムは、しばしば、カバレージエリアを提供する１つまたは複数の基地局を使用する。通常の基地局は、ブロードキャストサービス、マルチキャストサービス、および／またはユニキャストサービスのための複数のデータストリームを伝送することができ、ここで、データストリームは、移動体デバイスが独立の受信の関心を有する可能性があるデータストリームとすることができる。そのような基地局のカバレージエリア内の移動体デバイスを、複合ストリームによって搬送される１つ、複数、またはすべてのデータストリームを受信するのに使用することができる。同様に、移動体デバイスは、基地局または別の移動体デバイスにデータを伝送することができる。
【０００６】
無線通信システム内の位置判定は、ユーザ機器（たとえば、移動体デバイス、移動体通信装置、セルラデバイス、スマートホンなど）の位置を定義することを可能にする。いくつかの態様では、網は、そのようなユーザ機器（ＵＥ）位置情報を用いて応答することができるＵＥに要求するかページングすることができる。これは、ＵＥの位置を網に通信し、更新することを可能にする。
【０００７】
網のカバレージおよびサービスの品質の最適化は、無線網オペレータの不変の目標である。優れたカバレージおよびサービスの品質は、質を高められたユーザ経験、より高いスループット、および最終的に増やされた収入をもたらす。網最適化は、従来は、入力として網のカバレージおよびサービスの品質の測定値を必要とする。伝統的な網最適化の文脈では、これらの測定値は、網カバレージエリアにわたって手作業で実行されるデータ収集の努力を介して収集された。
【０００８】
手作業の収集は、コストが高く労働集中型になる可能性があるので、網自己最適化を提供するための継続する努力があった。測定値収集の自動化は、これらの努力の非常に重要な態様を表す。ＵＥによる報告は、データ収集の自動化のための重要なツールを提供することができる。しかし、網最適化計算を可能にするためにＵＥによって報告される必要があるデータの量は、電子ストレージスペースおよびバックホール帯域幅に関する、網の実質的な困難を生み出す。その結果、１つまたは複数のＵＥからの網測定値の収集の方法および／または装置を有するが、網内のバックホール帯域幅および電子ストレージスペースへの実質的な投資を必要としないことが望ましい。
【発明の概要】
【０００９】
次は、１つまたは複数の態様の基本的な理解をもたらすために、そのような態様の単純化された要約を提示する。この要約は、すべての企図される態様の広範囲の概要ではなく、すべての態様の主要なまたはクリティカルな要素を識別することも、いずれかまたはすべての態様の範囲を区切ることも意図されてはいない。その唯一の目的は、後で提示されるより詳細な説明の前置きとして、単純化された形で１つまたは複数の態様のいくつかの概念を提示することである。
【００１０】
１つまたは複数の態様およびそれに対応する開示によれば、さまざまな態様が、無線網の性能測定値の生成に関連して説明される。一態様によれば、無線網の性能測定値を生成する方法が提供される。この方法は、基地局で、移動体デバイスから性能測定値および位置データを得ることと、基地局で、位置データに基づいて、入手された測定値の少なくとも一部をストレージアレイの少なくとも１つの仮想地理ビン（ｖｉｒｔｕａｌ  ｇｅｏｇｒａｐｈｉｃ  ｂｉｎ）に格納することであって、各仮想地理ビンは、基地局によってサービスされるセル内の異なる地理区域に対応する、格納することと、基地局で、各仮想地理ビンに格納された測定値の少なくとも一部を１つまたは複数の位置ベースの性能測定値に集約することと、基地局から、位置ベースの性能測定値の少なくとも一部を網マネージャに伝送することとを備えることができる。
【００１１】
もう１つの態様は、通信デバイス上にコンテンツを表示するように構成された少なくとも１つのプロセッサに関する。この少なくとも１つのプロセッサは、基地局で、移動体デバイスから性能測定値および位置データを得るための第１モジュールと、基地局で、位置データに基づいて、入手された測定値の少なくとも一部をストレージアレイの少なくとも１つの仮想地理ビンに格納するための第２モジュールであって、各仮想地理ビンは、基地局によってサービスされるセル内の異なる地理区域に対応する、第２モジュールと、基地局で、各仮想地理ビンに格納された測定値の少なくとも一部を１つまたは複数の位置ベースの性能測定値に集約するための第３モジュールと、基地局から、位置ベースの性能測定値の少なくとも一部を網マネージャに伝送するための第４モジュールとを含むことができる。
【００１２】
もう１つの態様は、コンピュータ可読媒体を備えるコンピュータプログラム製品に関する。このコンピュータ可読媒体は、コンピュータに、移動体デバイスから性能測定値および位置データを入手させるためのコードの第１組と、コンピュータに、位置データに基づいて、入手された測定値の少なくとも一部をストレージアレイの少なくとも１つの仮想地理ビンに格納させるためのコードの第２組であって、各仮想地理ビンは、基地局によってサービスされるセル内の異なる地理区域に対応する、第２組と、コンピュータに、各仮想地理ビンに格納された測定値の少なくとも一部を１つまたは複数の位置ベースの性能測定値に集約させるためのコードの第３組と、コンピュータに、位置ベースの性能測定値の少なくとも一部を網マネージャに伝送させるためのコードの第４組とを含むことができる。
【００１３】
もう１つの態様は、装置に関する。この装置は、基地局で、移動体デバイスから性能測定値および位置データを得る手段と、基地局で、位置データに基づいて、入手された測定値の少なくとも一部をストレージアレイの少なくとも１つの仮想地理ビンに格納する手段であって、各仮想地理ビンは、基地局によってサービスされるセル内の異なる地理区域に対応する、格納する手段と、基地局で、各仮想地理ビンに格納された測定値の少なくとも一部を１つまたは複数の位置ベースの性能測定値に集約する手段と、基地局から、位置ベースの性能測定値の少なくとも一部を網マネージャに伝送する手段とを含むことができる。
【００１４】
もう１つの態様は、装置に関する。この装置は、移動体デバイスから性能測定値および位置データを得るように動作可能な受信機と、位置データに基づいて、入手された測定値の少なくとも一部をストレージアレイの少なくとも１つの仮想地理ビンに格納するように動作可能なストレージモジュールであって、各仮想地理ビンは、基地局によってサービスされるセル内の異なる地理区域に対応する、ストレージモジュールと、各仮想地理ビンに格納された測定値の少なくとも一部を１つまたは複数の位置ベースの性能測定値に集約するように動作可能な処理モジュールと、位置ベースの性能測定値の少なくとも一部を網マネージャに伝送するように動作可能な送信機とを含むことができる。
【００１５】
前述の目的および関連する目的を達成するために、１つまたは複数の態様は、後で十分に説明され、特許請求の範囲で具体的に指定される特徴を備える。次の説明および添付図面は、１つまたは複数の態様のある種の例示的な特徴を詳細に示す。しかし、これらの特徴は、さまざまな態様の原理を使用できるさまざまな形のうちの少数のみを示し、この説明は、すべてのそのような態様およびその同等物を含むことが意図されている。
【００１６】
開示される諸態様を、開示される諸態様を限定するためではなく例示するために提供される添付図面に関連して後で説明するが、添付図面では、類似する指定は、類似する要素を表す。
【図面の簡単な説明】
【００１７】
【図１】一態様による例示的な多元接続無線通信システムを示すブロック図。
【図２】無線網の性能測定値を生成するように構成された基地局の例示的なアーキテクチャを示すブロック図。
【図３】無線網の性能測定値を生成する例示的な方法を示す図。
【図４Ａ】本発明の一態様による無線通信システムを示す図。
【図４Ｂ】本発明の一態様による無線通信システムを示す図。
【図４Ｃ】本発明の一態様による無線通信システムを示す図。
【図５】無線網の性能測定値を生成できる例示的なシステムを示すブロック図。
【図６】一態様による例示的な多元接続無線通信システムを示す図。
【図７】例示的な通信システムを示すブロック図。
【発明を実施するための形態】
【００１８】
これから、図面を参照してさまざまな態様を説明する。次の説明では、説明において、１つまたは複数の態様の完全な理解を提供するために、多数の具体的な詳細を示す。しかし、そのような態様（１つまたは複数）を、これらの具体的な詳細なしで実践できることは明白であろう。
【００１９】
いくつかの態様では、無線通信システムは、網が、位置情報と一緒に、少なくとも網のカバレージおよびサービスの品質を測定し、網に報告するように１つまたは複数のＵＥに要求することを可能にすることができる。さらに、この要求は、測定値および位置を得るために無線通信システムの既存の標準化された機能を使用しているものとすることができる。
【００２０】
図１を参照すると、本明細書で提示されるさまざまな態様による無線通信システム１００が示されている。無線通信システム１００は、ＯＡＭａｎｄＰ（Ｎｅｔｗｏｒｋ  Ｏｐｅｒａｔｉｏｎ，Ａｄｍｉｎｉｓｔｒａｔｉｏｎ，Ｍａｎａｇｅｍｅｎｔ  ａｎｄ  Ｐｒｏｖｉｓｉｏｎｉｎｇ）システム１０２、１つまたは複数の無線デバイス１３０、１つまたは複数の網要素（たとえば、ｅノードＢまたは基地局）１１０、および網要素とＯＡＭ＆Ｐシステムとの間の通信のための１つまたは複数のバックホール網インターフェース１２０を含む。
【００２１】
ＯＡＭａｎｄＰシステム１０２は、網マネージャ１５０を含むことができる。一態様では、ＯＡＭａｎｄＰシステムは、カバレージ最適化エンティティ（ｃｏｖｅｒａｇｅ  ｏｐｔｉｍｉｚａｔｉｏｎ  ｅｎｔｉｔｙ、ＣＯＥ）１６０をも含むことができる。別の態様では、ＣＯＥ  １６０を、ＯＡＭａｎｄＰの外部であるがその間で通信するように動作可能なエンティティとすることができる。ＣＯＥ  １６０は、網のカバレージおよびサービスの品質を反映する１つまたは複数の入力を網マネージャから受け取ることができる。別の態様では、ＣＯＥ  １６０は、これらの入力を直接にまたはＯＡＭａｎｄＰシステム１０２を介してのいずれかで網要素１１０から受け取ることができる。少なくとも部分的にこれらの入力に基づいて、ＣＯＥ  １６０は、カバレージ最適化アルゴリズムを実行し、網カバレージを最適化するのに必要な構成変更に関する推奨（たとえば、アンテナチルト、アジマス変更、その他）を提供する。
【００２２】
網マネージャ１５０は、性能測定エンティティ１５２を含むことができる。一態様では、性能測定エンティティ１５２は、バックホール網インターフェース１２０を介して複数の網要素１１０から位置ベースの性能測定値を受信するように動作可能とすることができ、さらに、それに含まれるデータのＣＯＥ  １６０による使用の前に、前記データを編成することができる。たとえば、複数の網要素は、当該の所定の地理領域内に存在する場合がある。その場合に、性能測定エンティティ１５２は、当該の地理領域のより完全なプロファイルを生成するために、網要素１１０から受信された位置ベースの性能測定値を集約することができる。
【００２３】
無線デバイス１３０は、たとえば、セル電話、スマートホン、ラップトップ機、ハンドヘルド通信デバイス、ハンドヘルドコンピューティングデバイス、衛星ラジオ、全地球測位システム、ＰＤＡ、および／または無線通信システム１００を介して通信する任意の他の適切なデバイスとすることができる。無線デバイス１３０は、性能測定値１３２を収集する。一態様では、無線デバイス１３０は、網から受信された構成に基づいて性能測定値１３２を収集する。この測定値は、網のカバレージおよびサービスの品質を含むことができるが、これらに限定はされない。測定値１３２を網、たとえば網要素１１０に報告することができる。測定値は、検出された基地局の識別、検出された基地局の信号強度および信号品質、無線デバイスの伝送電力、および性能測定値が網要素１１０に送付された時の無線デバイス１３０の位置情報１３４などの異なる測定量に関するものとすることができる。無線デバイス１３０は、３ＧＰＰ  ＴＳ  ２５．３１１およびＴＳ  ３６．３３１で指定されるＲＲＣプロトコルなど、標準化された無線（ｏｖｅｒ  ｔｈｅ  ａｉｒ、ＯＴＡ）プロトコルを介して網要素１１０に測定値を供給することができる。
【００２４】
網要素（たとえば、基地局、ｅＮｏｄｅＢ、ｅｎｈａｎｃｅｄ  ＮｏｄｅＢ）１１０は、測定値のタイプおよび周期的報告またはイベントトリガ式報告などの報告機構を含めて、無線デバイス１３０によって収集され、報告される測定値を構成することができる。網要素１１０は、無線デバイス１３０から報告される測定値を得ることができる。しかし、生の測定値をＯＡＭ＆Ｐシステム１０２に供給することは、バックホール網インターフェース１２０を介する大量のバックホールトラヒックを生成するはずである。さらに、後の処理および網最適化プロセスでの使用のために生の測定値を格納することは、網要素内および／またはＯＡＭ＆Ｐシステム内の大量のストレージスペースを必要とするはずである。したがって、網要素１１０は、無線デバイス１３０位置に対応する仮想地理ストレージビンからなるストレージアレイに対応する１つまたは複数の無線デバイス１３０によって報告される測定値の集約を生成することができる。一態様では、これらの集約は、位置ベースの性能測定値と呼ばれる。位置ベースの性能測定値を、たとえば２４時間、トリガするイベントが発生するまでなど、ある時間の期間中に収集される各仮想地理ストレージビン内のすべての測定値または測定値の一部にわたって計算することができる。
【００２５】
たとえば、基地局１１０は、１００個の接続された無線デバイス１３０から測定値報告を受信することができ、各無線デバイス１３０は、５秒おきに１つの測定値報告を送信し、各報告は、位置情報および５つの異なる基地局１１０の受信信号強度測定値を含む。１つの測定値報告のサイズが１００バイトの大きさ（８００ビット）であると仮定すると、バックホール網インターフェース１２０を介してすべての受信測定値報告を送信することによって生成される総トラヒックは、１網要素あたり、２キロバイト毎秒（１６キロビット毎秒）または２．８８メガバイト毎日になるはずである。位置ベースの性能測定値を使用することによって、基地局１１０は、そのカバレージエリアを１０００個の仮想地理ビンに分割し、２４時間の期間にわたって各ビンの内部に配置された無線デバイスから受信される測定値に基づいて、そのビンの平均受信信号強度を計算することができる。すべてのビンが、２４時間以内に少なくとも１つの接続された移動体デバイス１３０によって訪問されると仮定すると、１０００個の仮想地理ビンのそれぞれについて各２４時間に生成される５つの位置ベースの性能測定値（５つの基地局のそれぞれについて１つの位置ベースの性能測定値）がある。１つの位置ベースの性能測定値が１００バイトの大きさであると仮定すると、この形で生成されるデータの総量は、１００キロバイト毎日である。これは、バックホールトラヒック要件およびストレージ要件のほぼ１／３０の減少に対応する。さらに、仮想地理ビンの個数がより少ない場合には、削減は、それに対応してより大きくなる。
【００２６】
次に、位置ベースの性能測定値を、バックホール網インターフェース１２０を介して網マネージャ１５０およびＣＯＥ  １６０に供給することができる。したがって、おそらくはランダムな時間的インターバルで無線デバイス１３０から複数の測定値報告を供給するのではなく、位置ベースの性能測定値は、無線デバイス１３０からの複数の測定値報告を凝縮された形に要約し、この凝縮された形を所定の時刻に伝送することを可能にする。したがって、無線デバイスからの測定値報告を網要素で位置ベースの性能測定値に集約することは、バックホールトラヒックを減らすだけではなく、性能データトラヒックを伝送できる時に関するあるレベルの予測性をも提供することができ、バックホール帯域幅のよりよい計画を可能にする。さらに、位置ベースの性能測定値は、位置ベースの性能測定値のストレージ要件が測定値を報告する無線デバイスの個数、報告の持続時間、または報告のサイズに依存しないので、ストレージ要件の高いレベルの予測性および構成可能性をも提供することができる。一態様では、位置ベースの性能測定値は、仮想地理ビンの個数だけに依存する。
【００２７】
網要素１１０は、さらに、性能測定エンティティ１１２およびＯＴＡシグナリングエンティティ１１４を含むことができる。一態様では、ＯＴＡシグナリングエンティティ１１４は、検出された基地局１１０の信号強度および信号品質、測定値に含まれるか測定値から除外されるべき基地局１１０のタイプ、無線デバイスの伝送電力その他など、無線デバイス１３０によって実行されるべき測定を構成することができる。一態様では、ＯＴＡシグナリングエンティティ１１４は、周期的報告の報告インターバルまたはイベントトリガされる報告の報告をトリガするイベントを含む、測定値報告ポリシを構成することができる。別の態様では、ＯＴＡシグナリングエンティティ１１４を、無線デバイス１３０から生の測定データ１３２およびデバイス位置データ１３４を受信するように構成することができる。さらに、受信された測定データ１３２および位置データ１３４を、性能測定エンティティ１１２によって分析することができる。一態様では、性能測定エンティティ１１２は、ストレージアレイ内の仮想ビンに従って受信された測定データ１３２のさまざまなコンポーネントをビンに入れ、格納することを介してカバレージおよびサービスの品質統計を生成でき、ここで、仮想ビンは、地理区域、受信データの時刻、測定値の量、そのカバレージおよびサービスの品質が測定された基地局または複数の基地局のアイデンティティ、あるいはこれらの要因の任意の組合せによって定義することができる。性能測定エンティティ１１２は、各ビンに割り当てられたカバレージおよびサービスの品質のデータの統計を計算することによって、各仮想ビン内の測定値データを集約することができる。一態様では、これらのカバレージおよびサービスの統計を、いわゆる位置ベースの性能測定値と呼ぶことができ、各位置ベースの性能測定値は、少なくとも１つの仮想ビンに割り当てられた測定値の少なくとも一部から計算された統計に対応する。一態様では、位置ベースの性能測定値は、測定される量ごとに計算される複数の統計、たとえば、信号品質もしくはサービス品質の確率密度関数（ＰＤＦ）または累積分布関数（ＣＤＦ）、信号品質もしくはサービス品質の最大値、信号品質もしくはサービス品質の最小値、信号品質もしくはサービス品質の平均値（ｄＢ、線形）、および信号品質もしくはサービス品質の標準偏差（ｄＢ、線形）を反映することができる。たとえば、位置ベースの性能測定値は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の平均ＲＳＣＰ（ａｖｅｒａｇｅ  ｒｅｃｅｉｖｅｄ  ｓｉｇｎａｌ  ｃｏｄｅ  ｐｏｗｅｒ）もしくはＬＴＥ（Ｔｈｉｒｄ  Ｇｅｎｅｒａｔｉｏｎ  Ｌｏｎｇ  Ｔｅｒｍ  Ｅｖｏｌｕｔｉｏｎ）システムのＲＳＲＰ（ｒｅｆｅｒｅｎｃｅ  ｓｉｇｎａｌ  ｒｅｃｅｉｖｅｄ  ｐｏｗｅｒ）、平均Ｅｃ／Ｉｏ（ＵＭＴＳ）／ＲＳＲＱ（ＬＴＥ）、音声サービスの平均ブロック誤り率、ならびに音声サービスの最大無線デバイス電力およびＴｘ電力などを含むことができるが、これらに限定はされない。
【００２８】
一態様では、移動体デバイス１３０を、さまざまなベンダ、サービスプロバイダなどによって製造し、動作させることができる。さらに、ＯＡＭ＆Ｐシステム１０２を、さらに別のベンダ、サービスプロバイダなどに関連付けることができる。そのような態様では、網要素１１０で生成される位置ベースの性能測定値は、任意の特定のカテゴリの移動体デバイス１３０の性能を明らかにせずに、および／または所有権もしくはサービスプロバイダシップアグリーメント（ｓｅｒｖｉｃｅ  ｐｒｏｖｉｄｅｒｓｈｉｐ  ａｇｒｅｅｍｅｎｔ）に無関係に、さまざまなベンダおよび／またはオペレータのいずれかによって製造されまたはサービスされるすべての移動体デバイス１３０からの測定値を反映することができる。したがって、位置ベースの性能測定値は、さまざまなベンダに関連する移動体デバイス１３０からのデータを含むことができ、位置ベースの性能測定値を、網性能のより完全な像を形成するために組み合わせることができる。
【００２９】
さらに、位置ベースの性能測定値が網要素１１０で集約される時に、追加のソフトウェアまたは類似物は、移動体デバイス１３０について要求されず、これは、網自己最適化を大幅に容易にする。
【００３０】
上で注記したように、ＣＯＥ  １６０は、位置ベースの性能測定値に含まれる、受け取られた、集約されたカバレージ統計に少なくとも部分的に基づいて、カバレージ最適化アルゴリズムを実行し、網カバレージを最適化するのに必要な構成変更に関する推奨（たとえば、アンテナチルト、アジマス変更、その他）を提供することができる。さらに、位置ベースの性能測定値を、キャパシティディメンショニング（ｃａｐａｃｉｔｙ  ｄｉｍｅｎｓｉｏｎｉｎｇ）および予算計画を含む網計画の他の態様に使用することができる。
【００３１】
図２を参照すると、システム２００は、複数の受信アンテナ２０６を介して１つまたは複数のユーザデバイス１１０からの信号（１つまたは複数）を受信する受信機２１０ならびに伝送アンテナ２０８を介して１つもしくは複数のユーザデバイス１１０および／または１つもしくは複数の網マネージャ１５０に伝送する送信機２２２を有する基地局２０２を備える。さらに、基地局２０２は、有線バックホール接続その他などであるがこれに限定はされない接続を介して１つまたは複数の網マネージャ１５０から信号（１つまたは複数）を受信することができる網受信機２５４を備える。受信機２１０は、受信アンテナ２０６から情報を受け取ることができ、受信された情報を復調する復調器２１２に動作可能に関連する。復調されたシンボルは、とりわけ移動体デバイスの性能測定値および位置に関係する情報を格納するメモリ２１６に結合されたプロセッサ２１４によって分析される。プロセッサ２１４は、受信機２１０によって受信された情報の分析専用および／または送信機２２２によって伝送される情報の生成専用のプロセッサ、基地局２０２の１つまたは複数のコンポーネントを制御するプロセッサ、ならびに／あるいは受信機２１０によって受信された情報の分析および送信機２２２によって伝送される情報の生成と基地局２０２の１つまたは複数のコンポーネントの制御との両方を行うプロセッサとすることができる。上で注記したように、基地局２０２は、さらに、プロセッサ２１４に動作可能に結合され、とりわけ移動体デバイスの位置ベースの性能測定値を格納するメモリ２１６を備えることができる。本明細書で説明されるデータストア（たとえば、メモリ）コンポーネントは、揮発性メモリまたは不揮発性メモリのいずれかとすることができ、あるいは、揮発性メモリと不揮発性メモリとの両方を含むことができることを了解されたい。限定ではなく例示として、不揮発性メモリは、読取り専用メモリ（ＲＯＭ）、プログラム可能ＲＯＭ（ＰＲＯＭ）、電気的プログラム可能ＲＯＭ（ＥＰＲＯＭ）、電気的消去可能ＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例示として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ｄｏｕｂｌｅ  ｄａｔａ  ｒａｔｅ  ＳＤＲＡＭ（ＤＤＲ  ＳＤＲＡＭ）、ｅｎｈａｎｃｅｄ  ＳＤＲＡＭ（ＥＳＤＲＡＭ）、Ｓｙｎｃｈｌｉｎｋ  ＤＲＡＭ（ＳＬＤＲＡＭ）、およびｄｉｒｅｃｔ  Ｒａｍｂｕｓ  ＲＡＭ（ＤＲＲＡＭ）などの多数の形で入手可能である。本装置および方法のメモリ２１６は、上記および任意の他の適切なタイプの他のメモリを、これらに限定されることなく備えることが意図されている。
【００３２】
さらに、一態様では、メモリ２１６は、移動体デバイスの性能測定値および位置に関連する格納された情報を編成するのを容易にするために仮想ビン構造２１８を含むことができる。仮想ビン構造２１８は、性能測定値情報、移動体デバイス位置情報、および／またはデータの受信の時刻のうちの１つまたは複数によって編成されたストレージアレイを含むことができる。たとえば、仮想ビン構造２１８を、異なるタイプの測定値に関する別々の仮想ビンを有する、基地局２０２のカバレージエリア内の地理領域に対応するビンに編成することができる。したがって、移動体デバイスから受信された測定値データは、デバイスがそのデータを伝送した時のそのデバイスの位置に対応する仮想ビンに格納される。別の例では、仮想ビン構造２１８を、データ入力の時刻に対応するビンに編成することができる。したがって、移動体デバイスから受信された測定値データを、デバイスがそのデータを伝送した時に対応する仮想ビンに格納することができる。
【００３３】
プロセッサ２１４は、さらに、性能測定エンティティ２３０に結合される。性能測定エンティティ２３０は、ＯＴＡシグナリング構成モジュール２３２、性能測定値構成モジュール２３４、ビニングモジュール２３６、および報告モジュール２３８を含むことができる。一態様では、ＯＴＡシグナリングエンティティ２３２は、検出された基地局の信号強度および信号品質、測定値に含まれるか測定値から除外されるべき基地局のタイプ、無線デバイスの伝送電力その他など、無線デバイスによって実行されるべき測定を構成することができる。一態様では、ＯＴＡシグナリングエンティティ２３２は、周期的報告の報告インターバルまたはイベントトリガされる報告の報告をトリガするイベントを含む、測定値報告ポリシを構成することができる。別の態様では、ＯＴＡシグナリングエンティティ２３２を、無線デバイスから生の測定データおよびデバイス位置データを受信するように構成することができる。さらに、受信された測定データおよび位置データを、性能測定値構成モジュール２３４によって分析することができる。性能測定値構成モジュール２３４は、各ビンに割り当てられたカバレージおよびサービスの品質のデータの統計を計算することによって、各仮想ビン内の測定値データを集約することができる。一態様では、これらのカバレージおよびサービスの統計を、いわゆる位置ベースの性能測定値と呼ぶことができ、各位置ベースの性能測定値は、少なくとも１つの仮想ビンに割り当てられた測定値の少なくとも一部から計算された統計に対応する。一態様では、位置ベースの性能測定値は、測定量ごとに計算される複数の統計、たとえば、信号品質もしくはサービス品質の確率密度関数（ＰＤＦ）または累積分布関数（ＣＤＦ）、信号品質もしくはサービス品質の最大値、信号品質もしくはサービス品質の最小値、信号品質もしくはサービス品質の平均値（ｄＢ、線形）、および信号品質もしくはサービス品質の標準偏差（ｄＢ、線形）を反映することができる。たとえば、位置ベースの性能測定値は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の平均ＲＳＣＰ（ａｖｅｒａｇｅ  ｒｅｃｅｉｖｅｄ  ｓｉｇｎａｌ  ｃｏｄｅ  ｐｏｗｅｒ）もしくはＬＴＥ（Ｔｈｉｒｄ  Ｇｅｎｅｒａｔｉｏｎ  Ｌｏｎｇ  Ｔｅｒｍ  Ｅｖｏｌｕｔｉｏｎ）システムのＲＳＲＰ（ｒｅｆｅｒｅｎｃｅ  ｓｉｇｎａｌ  ｒｅｃｅｉｖｅｄ  ｐｏｗｅｒ）、平均Ｅｃ／Ｉｏ（ＵＭＴＳ）／ＲＳＲＱ（ＬＴＥ）、音声サービスの平均ブロック誤り率、ならびに音声サービスの最大無線デバイス電力およびＴｘ電力などを含むことができるが、これらに限定はされない。一態様では、性能測定値構成モジュール２３４を、その一部が関連すると判定された受信された測定値から選択するように構成することができる。基地局リソースに重すぎる負担を負わせることを避けるために、測定値構成モジュール２３４は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の平均ＲＳＣＰ（ｒｅｃｅｉｖｅｄ  ｓｉｇｎａｌ  ｃｏｄｅ  ｐｏｗｅｒ）またはＬＴＥ（Ｔｈｉｒｄ  Ｇｅｎｅｒａｔｉｏｎ  Ｌｏｎｇ  Ｔｅｒｍ  Ｅｖｏｌｕｔｉｏｎ）システムのＲＳＲＰ（ｒｅｆｅｒｅｎｃｅ  ｓｉｇｎａｌ  ｒｅｃｅｉｖｅｄ  ｐｏｗｅｒ）、平均Ｅｃ／Ｉｏ（ＵＭＴＳ）／ＲＳＲＱ（ＬＴＥ）、音声サービスの平均ブロック誤り率、ならびに音声サービスの最大無線デバイス電力およびＴｘ電力その他などであるがこれらに限定はされない、網マネージャ１５０に有用である可能性がある測定値のみをデフォルトセットから選択することができる。いくつかの態様では、性能測定値構成モジュール２３４は、受信されたデータの１つまたは組合せに基づく位置ベースの性能測定値を生成する。
【００３４】
一態様では、ビニングモジュール２３６は、ストレージアレイ内の仮想ビンに従って受信された測定データのさまざまなコンポーネントをビンに入れ、格納することを介してカバレージおよびサービスの品質統計を生成でき、ここで、仮想ビンは、地理区域、受信データの時刻、測定量、そのカバレージおよびサービスの品質が測定された基地局または複数の基地局のアイデンティティ、あるいはこれらの要因の任意の組合せによって定義することができる。別の態様では、ビニングモジュール２３６は、性能測定値構成モジュール２３４から選択されたおよび／または生成された位置ベースの性能測定値を入手し、無線デバイス１１０の位置、入力の時刻、または類似物に従って、選択されたデータを仮想ビン構造２１８に格納するように動作可能とすることができる。さらに、一態様では、ビニングモジュール２３６は、無線デバイスを個別に識別できるデータを選択的に除去することができる。そのような態様では、個別に識別する情報が基地局で格納されないので、ユーザのプライバシの懸念を軽減することができる。一態様では、ビニングモジュール２３６は、セットされた時間の期間中に、トリガするイベントが発生するまで、または類似物に、仮想ビン構造に格納されたデータを集約することもできる。たとえば、トリガするイベントは、所定の時間期間、受信された所定の個数の無線デバイス入力、受信された所定の個数の特定のタイプの測定値入力、収集された所定の量のデータ（たとえば、メモリ量）、またはその任意の組合せの完了を含むことができる。さらに、トリガするイベントは、網マネージャ要求、受信された測定値データもしくはその集約の少なくとも１つのコンポーネントが事前に構成されたしきい値未満になるかそれを超える状況、あるいは類似物のうちの少なくとも１つを含むことができる。一態様では、報告モジュール２３８は、仮想ビン構造２１８に格納された集約されたデータの少なくとも一部を得ることができ、そのデータを網マネージャ１５０または類似物への伝送のために準備することができる。
【００３５】
一態様では、報告モジュール２３８から入手されたデータなどであるがこれに限定はされないＰＭエンティティ２３０データを、網送信機２５２を介して網マネージャ１５０に伝送することができる。別の態様では、変調器２２０は、ユーザデバイス１１０および／または１つもしくは複数の網マネージャ１５０への伝送アンテナ２０８を介する送信機２２２による伝送のために信号を多重化することができる。したがって、ユーザデバイス１１０への伝送および網マネージャ１５０への伝送を、異なるインターフェースを介して実行することができる。たとえば、受信機２１０および送信機２２２が、無線で移動体デバイス１１０と通信できると同時に、網受信機２５４および網送信機２５２が、有線バックホール接続を介して通信することができる。
【００３６】
図３に、請求される主題によるさまざまな方法論を示す。説明の単純さのために、方法論を一連の行為として図示し、説明するが、一部の行為が、図示され本明細書で説明されるものとは異なる順序でおよび／または他の行為と同時に発生し得るので、請求される主題が、行為の順序によって限定されないことを理解し、了解されたい。たとえば、当業者は、方法論を、その代わりに状態図など、一連の相関する状態またはイベントとして表すことができることを理解し、了解するであろう。さらに、図示された行為のすべてが、請求される主題による方法論を実施するのに必要とは限らない。さらに、下および本明細書全体を通じて開示される方法論が、そのような方法論をコンピュータに搬送し、転送するのを容易にするために製造品に格納され得ることを、さらに了解されたい。用語製造品は、本明細書で使用される時に、任意のコンピュータ可読デバイス、コンピュータ可読担体、またはコンピュータ可読媒体からアクセス可能なコンピュータプログラムを含むことが意図されている。
【００３７】
図３に移ると、無線網の位置ベースの性能測定値を生成する例示的な方法３００が提示されている。符号３０２では、データが、無線デバイス、移動体デバイス、または類似するデバイスから受信される。一態様では、このデータは、網カバレージおよびサービスの品質ならびにデバイスの位置データなどの性能測定値を含むことができる。符号３０４では、関連する性能データおよび／またはデバイス位置データが、受信されたデータから入手されまたは生成される。たとえば、移動体デバイスは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の平均ＲＳＣＰ（ｒｅｃｅｉｖｅｄ  ｓｉｇｎａｌ  ｃｏｄｅ  ｐｏｗｅｒ）またはＬＴＥ（Ｔｈｉｒｄ  Ｇｅｎｅｒａｔｉｏｎ  Ｌｏｎｇ  Ｔｅｒｍ  Ｅｖｏｌｕｔｉｏｎ）システムのＲＳＲＰ（ｒｅｆｅｒｅｎｃｅ  ｓｉｇｎａｌ  ｒｅｃｅｉｖｅｄ  ｐｏｗｅｒ）、平均Ｅｃ／Ｉｏ（ＵＭＴＳ）／ＲＳＲＱ（ＬＴＥ）、音声サービスの平均ブロック誤り率、ならびに無線デバイスＴｘ電力その他などであるがこれらに限定はされない性能測定値データを、位置データと一緒に伝送することができる。一態様では、位置データは、衛星システム（たとえば、ＧＰＳ）、地上網（たとえば、到着時刻、到着時間差、または到着角度差）、衛星および地上網の組合せ（たとえば、網支援型ＧＰＳ（Ｎｅｔｗｏｒｋ−ａｓｓｉｓｔｅｄ  ＧＰＳ））、または類似物などであるがこれらに限定はされない、あるシステムから入手される参照信号および／または他の情報を使用して移動体デバイスによって計算される、緯度および経度ならびに／または高度などの明示的位置情報を含むことができる。別の態様では、位置データは、網要素がそれから移動体デバイスの位置を計算できる、移動体デバイスによって報告された位置関連測定値を含むことができる。符号３０６では、関連性能データを、ストレージアレイ内のビンに格納することができる。一態様では、ストレージアレイは、所定の地理領域に対応する各ビンを用いて編成される。したがって、関連性能データを、位置データによって識別される対応する仮想地理ビンに格納することができる。符号３０８では、対応するビンに既に存在する可能性があるデータの少なくとも一部を用いて新しい集約性能データを生成するために、ビンに格納されたデータを組み合わせることができる。トリガするイベントが発生するまで、格納されたデータを、位置ベースの性能測定値を生成するためにビンに集約することができる。たとえば、トリガするイベントは、所定の時間期間、受信された所定の個数の無線デバイス入力、受信された所定の個数の特定の性能測定値入力、網マネージャ要求、または類似物を含むことができる。符号３１２で、トリガするイベントが符号３１０で発生していない場合には、データを収集し続けることができ、かつ／またはこのプロセスが停止することができる。対照的に、符号３１２で、トリガするイベントが符号３１０で発生している場合には、仮想ビン構造に格納された位置ベースの性能測定値の少なくとも一部が、網マネージャまたは類似物に伝送される。
【００３８】
ここで図４Ａから４Ｃを参照すると、本明細書で提示されるさまざまな態様による無線通信システム４００が示されている。図４Ａを参照すると、システム４００は、カバレージエリア４０２を含む。カバレージエリア４０２は、事実上、地理ビン（たとえば、１００ｍ×１００ｍ）４０４に分解される。図示されているように、カバレージエリア４０２は、第１方向４４０および第２方向４４２を介して定義される平面を含む。一態様では、ビン４０４のサイズを、システムオペレータまたはインフラストラクチャベンダによって構成することができる。ビン４０４のサイズは、一方ではカバレージ情報の粒度と他方では処理の複雑さおよびストレージ要件との間のバランスを判定するのを助けることができ、より小さいビン４０４は、より高い粒度をもたらし、より大きいビン４０４は、減らされた処理の複雑さおよびストレージ要件をもたらす。一態様では、ビン４０４は、カバレージエリア４０２上で均一のサイズにされるが、別の態様では、当該の地理的点は、変化するサイズを有するビン４０４を有することができる。たとえば、カバレージエリア４０２が、都市区域および田舎区域に広がる場合には、都市区域のビンサイズ設定を、田舎区域のビンサイズ設定より小さくすることができる。別の例では、区域が、過去にカバレージ問題を示した場合に、問題個所をより細かく突き止めることを試みて、その区域内で、より小さいビンを使用することができる。
【００３９】
示された図４Ａでは、第１網要素（たとえば、基地局）４０６は、ビン４０４内に配置された無線デバイス４０８の第１組に接続される。第２網要素（たとえば、基地局）４１０は、ビン４０４内に配置された１つまたは複数の無線デバイス４１２に接続される。上で注記したように、無線デバイス４０８および４１２は、網のカバレージおよびサービスの品質の生の性能測定値を収集し、性能測定値をそれぞれ網要素（たとえば、基地局、ｎｏｄｅＢなど）４０６および４１０に供給することができる。性能測定値は、たとえば、検出されたセルの物理セル識別、検出されたセルの信号強度、および性能測定値が網要素４０６および４１０に送信された時の無線デバイス４０８および４１２の位置情報（たとえば、ビン４０４の識別）を含むことができる。無線デバイス４０８および４１２は、ＲＲＣ  ２５．３１１および２６．３３１などの無線プロトコルを介して性能測定値を網要素４０６および４１０に供給することができる。
【００４０】
無線通信システム４００を、さらに、図４Ｂを参照して示すことができる。図４Ｂに示されているように、ビン４０４は、カバレージエリア４０２などのカバレージエリア内の複数の無線デバイス４０８、４１２からの生の性能測定値４５０（１）〜（ｎ）を格納することができる。さらに図示されているように、カバレージエリアは、第１方向４４０および第２方向４４２を介して定義される平面を含む。さらに、ビン４０４列内の生の性能データのストレージは、第３方向４４４に関して図示されている。一態様では、格納された生の性能測定値４５０（１）〜（ｎ）は、それらが入手される時にビン４０４を定義する列に追加され、測定値が経時的に積み重ねられるようになっている。別の態様では、ビン４０４を定義する列内の各層は、ある時間期間に対応することができる。別の態様では、列内の各層は、１つのセルに関係する測定値または測定値の集約に対応することができる。別の態様では、列内の各層は、ＬＴＥシステムのＲＳＲＰ、ＲＳＲＱ、ＵＭＴＳシステムのＲＳＣＰ、Ｅｃ／Ｉｏ、ＵＥ伝送電力その他など、異なる測定量に対応することができる。
【００４１】
図４Ｃを参照すると、システム４００は、カバレージエリア４２２、４３２を含む。カバレージエリア４２２、４３２は、事実上、網要素４２０、４３０から半径方向および角度方向に定義される地理ビン４０４に分解される。一態様では、ビン４２６、４３６のサイズは、システム４００のオペレータまたはインフラストラクチャベンダによって構成され得る。ビン４２６、４３６のサイズは、一方ではカバレージ情報の粒度と他方では処理の複雑さおよびストレージ要件との間のバランスを判定するのを助けることができ、より小さいビン４０４は、より高い粒度をもたらし、より大きいビン４０４は、減らされた処理の複雑さおよびストレージ要件をもたらす。一態様では、ビン４２６、４３６は、半径方向および角度方向でカバレージエリア４２４、４３４全体にわたって均一のサイズにされるが、別の態様では、当該の地理的点は、変化するサイズを有するビン４２６、４３６を有することができる。たとえば、カバレージエリア４２４が、都市区域に広がり、カバレージエリア４３４が、田舎区域に広がる場合には、都市カバレージエリア４２４のビンサイズ設定を、田舎カバレージエリア４３４のビンサイズ設定より小さくすることができる。別の例では、区域が、過去にカバレージ問題を示した場合に、問題個所をより細かく突き止めることを試みて、その区域内で、より小さいビンを使用することができる。
【００４２】
示された図では、第１網要素（たとえば、基地局）４２０は、ビン４２６内に配置された無線デバイス４２２の第１組に接続される。第２網要素（たとえば、基地局）４３０は、ビン４３６内に配置された１つまたは複数の無線デバイス４３２に接続される。上で注記したように、無線デバイス４２２および４３２は、網のカバレージおよびサービスの品質の生の性能測定値を収集し、性能測定値をそれぞれ網要素（たとえば、基地局、ｎｏｄｅＢなど）４２０および４３０に供給することができる。性能測定値は、たとえば、検出されたセルの物理セル識別、検出されたセルの信号強度、および性能測定値が網要素４２０および４３０に送信された時の無線デバイス４２２および４３２の位置情報（たとえば、ビン４２６、４３６の識別）を含むことができる。無線デバイス４２２および４３２は、ＲＲＣ  ２５．３１１および２６．３３１などの無線プロトコルを介して性能測定値を網要素４２０および４３０に供給することができる。
【００４３】
網要素４０６、４１０、４２０、および４３０は、そのそれぞれの無線デバイス４０８、４１２、４２２、４３２のカバレージ統計を判定することができる。カバレージ統計を、測定量すなわち信号品質の確率密度関数（ＰＤＦ）または累積分布関数（ＣＤＦ）、最大信号品質、最小信号品質、平均信号品質（ｄＢ、線形）、および信号品質の標準偏差（ｄＢ、線形）ごとに、ビン４０４、４２６、４３６ごとに計算することができる。カバレージ統計を、ビン４０４、４２６、４３６の任意のグループにまたがって、経時的になどで集約することができる。カバレージ統計は、平均ＲＳＣＰ（ＵＭＴＳ）／ＲＳＲＰ（ＬＴＥ）、平均Ｅｃ／Ｉｏ（ＵＭＴＳ）／ＲＳＲＱ（ＬＴＥ）、音声サービスの平均ブロック誤り率、および音声サービスに関する最大の無線デバイス４０８、４１２、４２２、および４３２のＴｘ電力を含むことができる。
【００４４】
さらに、他のカバレージ統計は、ビン４０４、４２６、４３６あたりの受信された性能測定値の個数、ビン４０４、４２６、４３６あたりの報告する異なる無線デバイス４０８、４１２、４２２、および４３２の個数、ビン４０４、４２６、４３６あたりのシグナリング接続の個数、サービスビン４０４、４２６、４３６あたりのブロック誤り率、サービスビン４０４、４２６、４３６あたりの無線デバイス４０８、４１２、４２２、および４３２のＴｘ電力、およびサービスビン４０４、４２６、４３６あたりの無線デバイス４０８、４１２、４２２、および４３２のバッファ状況などの無線デバイス４０８、４１２、４２２、および４３２の性能測定値に基づいて、同一の形で計算され得る。
【００４５】
前に述べたように、カバレージ統計を、網要素４０６、４１０、４２０、４３０から、カバレージ統計に基づいてカバレージ最適化アルゴリズムを実行し、カバレージを最適化するのに必要な構成変更に関する推奨（たとえば、アンテナチルト、アジマス変更、その他）を提供するカバレージ最適化エンティティ（図１を参照されたい）に通信することができる。さらに、カバレージ統計を、キャパシティディメンショニングおよび経費計画を含む網計画の他の態様で使用することができる。
【００４６】
図５を参照すると、無線網の性能測定値の生成を容易にするシステム５００が示されている。たとえば、システム５００は、少なくとも部分的に基地局、移動体デバイスなどの中に存在することができる。別の例の態様によれば、システム５００は、少なくとも部分的にＮｏｄｅＢ内に存在することができる。システム５００が、プロセッサ、ソフトウェア、またはその組合せ（たとえば、ファームウェア）によって実施される機能を表す機能ブロックとすることができる機能ブロックを含むものとして表されていることを了解されたい。システム５００は、関連して働くことができる手段の論理グループ化５０２を含む。たとえば、論理グループ化５０２は、性能測定値および位置データを移動体デバイスから得る手段５０４を含むことができる。たとえば、移動体デバイスは、基地局あたりの無線デバイスで受信された信号電力、無線デバイスからアクセス可能な各基地局の搬送波対干渉比（ｃａｒｒｉｅｒ  ｔｏ  ｉｎｔｅｒｆｅｒｅｎｃｅ  ｒａｔｉｏ）、無線デバイス伝送電力、ブロックヘッダレート（ｂｌｏｃｋ  ｈｅａｄｅｒ  ｒａｔｅ）、無線デバイスバッファ状況、コールドロップ状況（ｃａｌｌ  ｄｒｏｐ  ｓｔａｔｕｓ）などの性能測定値データを、ＧＰＳまたは類似物などの位置データと一緒に伝送することができる。さらに、論理グループ化５０２は、入手された測定値の少なくとも一部を位置データに基づいてストレージアレイの少なくとも１つの仮想地理ビンに格納する手段であって、各仮想地理ビンは、基地局によってサービスされるセル内の異なる地理区域に対応する、手段５０６を備えることができる。たとえば、ストレージアレイを、地理領域内に配置された地理区域に対応するビンを用いて定義することができる。一態様では、地理区域を、格子パターンまたはチェッカーボードパターンでなど、地理領域全体を通じて均一に分布させることができる。別の態様では、地理区域を、事前定義の位置でのより高い格子密度を伴って不均一に分布させることができる。別の態様では、定義された格子を、中心として基地局を有する極座標系を介して作ることができる。さらに、論理グループ化５０２は、基地局で、各仮想地理ビンに格納された測定値の少なくとも一部を１つまたは複数の位置ベースの性能測定値に集約する手段５０８を備えることができる。たとえば、トリガイベントが発生するまで、データを集約することができる。たとえば、トリガするイベントは、所定の時間期間、受信された所定の個数の無線デバイス入力、受信された所定の個数の特定の性能測定値入力、網マネージャ要求、または類似物を含むことができる。さらに、論理グループ化５０２は、基地局から、位置ベースの性能測定値の少なくとも一部を網マネージャに伝送する手段５１０を備えることができる。さらに、システム５００は、手段５０４、５０６、５０８、および５１０に関連する機能を実行するための命令を保持するメモリ５１２を含むことができる。メモリ５１２の外部にあるものとして図示されているが、手段５０４、５０６、５０８、および５１０のうちの１つまたは複数が、メモリ５１２内に存在できることを理解されたい。
【００４７】
図６を参照すると、一態様による多元接続無線通信システムが示されている。アクセスポイント６００（ＡＰ）は、複数のアンテナグループすなわち、６０４および６０６を含むアンテナグループ、６０８および６１０を含む別のアンテナグループ、ならびに６１２および６１４を含む追加のアンテナグループを含む。図６では、２つのアンテナだけがアンテナグループごとに図示されているが、より多数またはより少数のアンテナをアンテナグループごとに利用することができる。アクセス端末６１６（ＡＴ）は、アンテナ６１２および６１４と通信しており、アンテナ６１２および６１４は、順方向リンク６２０を介してアクセス端末６１６に情報を伝送し、逆方向リンク６１８を介してアクセス端末６１６から情報を受信する。アクセス端末６２２は、アンテナ６０６および６０８と通信しており、アンテナ６０６および６０８は、順方向リンク６２６を介してアクセス端末６２２に情報を伝送し、逆方向リンク６２４を介してアクセス端末６２２から情報を受信する。ＦＤＤシステムでは、通信リンク６１８、６２０、６２４、および６２６は、通信に異なる周波数を使用することができる。たとえば、順方向リンク６２０は、逆方向リンク６１８によって使用されるものとは異なる周波数を使用することができる。
【００４８】
アンテナの各グループおよび／またはそれらが通信するように意図された区域は、しばしば、アクセスポイントのセクタと呼ばれる。この態様では、アンテナグループのそれぞれは、アクセスポイント６００によってカバーされる区域のセクタ内のアクセス端末に通信するように意図される。
【００４９】
順方向リンク６２０および６２６を介する通信では、アクセスポイント６００の伝送アンテナは、異なるアクセス端末６１６および６２４の順方向リンクのＳＮ比を改善するために、ビームフォーミングを利用する。また、そのカバレージを通じてランダムに散乱されたアクセス端末に伝送するのにビームフォーミングを使用するアクセスポイントは、そのアクセス端末のすべてに単一のアンテナを介して伝送するアクセスポイントより少ない、隣接セル内のアクセス端末への干渉を引き起こす。
【００５０】
アクセスポイントを、端末との通信に使用される固定局とすることができ、アクセスポイント、Ｎｏｄｅ  Ｂ、または他の用語で呼ぶこともできる。アクセス端末は、アクセス端末、ユーザ機器（ＵＥ）、無線通信デバイス、端末、アクセス端末、またはある他の用語で呼ばれる場合もある。
【００５１】
図７を参照すると、ＭＩＭＯシステム７００内の送信機システム７１０（アクセスポイントとしても知られる）および受信機システム７５０（アクセス端末としても知られる）の一態様のブロック図が示されている。送信機システム７１０では、複数のデータストリームのトラヒックデータが、データ送信装置７１２から伝送（ＴＸ）データプロセッサ７１４へ供給される。
【００５２】
一態様では、各データストリームは、それぞれの伝送アンテナを介して伝送される。ＴＸデータプロセッサ７１４は、コーディングされたデータを提供するために、各データストリームについて選択された特定のコーディング方式に基づいて、そのデータストリームのトラヒックデータをフォーマットし、コーディングし、インタリーブする。
【００５３】
各データストリームのコーディングされたデータを、直交周波数分割多重技法を使用して、パイロットデータと多重化することができる。パイロットデータは、通常は、既知の形で処理される既知のデータパターンであり、チャネル応答を推定するために受信機システムで使用され得る。各データストリームの多重化されたパイロットデータおよびコーディングされたデータは、次に、変調シンボルを提供するためにそのデータストリームについて選択された特定の変調方式（たとえば、ＢＰＳＫ、ＱＰＳＫ、Ｍ−ＰＳＫ、またはＭ−ＱＡＭ）に基づいて変調される（すなわち、シンボルマッピングされる）。各データストリームのデータレート、コーディング、および変調を、プロセッサ７３０によって実行される命令によって判定することができる。
【００５４】
次に、すべてのデータストリームの変調シンボルが、ＴＸ  ＭＩＭＯプロセッサ７２０に供給され、このＴＸ  ＭＩＭＯプロセッサ７２０は、変調シンボルをさらに処理することができる（たとえば、直交周波数分割多重のために）。次に、ＴＸ  ＭＩＭＯプロセッサ７２０は、ＮＴ個の変調シンボルストリームをＮＴ個の送信機（ＴＭＴＲ）７２２ａから７２２ｔに供給する。ある種の態様では、ＴＸ  ＭＩＭＯプロセッサ７２０は、データストリームのシンボルおよびそのシンボルがそこから伝送されようとしているアンテナにビームフォーミング重みを適用する。
【００５５】
各送信機７２２は、１つまたは複数のアナログ信号を供給するためにそれぞれのシンボルストリームを受け取り、処理し、さらに、ＭＩＭＯチャネルを介する伝送に適する変調された信号を供給するためにそのアナログ信号を条件付ける（たとえば、増幅し、フィルタリングし、アップコンバートする）。次に、送信機７２２ａから７２２ｔからのＮＴ個の変調された信号が、それぞれＮＴ個のアンテナ７２４ａから７２４ｔから伝送される。
【００５６】
受信機システム７５０では、伝送された変調された信号が、ＮＲ個のアンテナ７５２ａから７５２ｒによって受信され、各アンテナ７５２からの受信信号が、それぞれの受信機（ＲＣＶＲ）７５４ａから７５４ｒに供給される。各受信機７５４は、それぞれの受信信号を条件付け（たとえば、フィルタリングし、増幅し、ダウンコンバートし）、サンプルを供給するために条件付けられた信号をディジタル化し、対応する「受信」シンボルストリームを供給するためにサンプルをさらに処理する。
【００５７】
次に、ＲＸデータプロセッサ７６０が、ＮＲ個の受信されたシンボルストリームをＮＲ個の受信機７５４から受け取り、ＮＴ個の「検出された」シンボルストリームを供給するために、特定の受信機処理技法に基づいて処理する。次に、ＲＸデータプロセッサ７６０は、データストリームのトラヒックデータを回復するために、各検出されたシンボルストリームを復調し、ディインタリーブし、復号する。ＲＸデータプロセッサ７６０による処理は、送信機システム７１０でＴＸ  ＭＩＭＯプロセッサ７２０およびＴＸデータプロセッサ７１４によって実行される処理に対して相補的である。
【００５８】
プロセッサ７７０は、使用すべきプレコーディング行列（下で述べる）を周期的に判定する。プロセッサ７７０は、行列インデックス部分およびランク値部分を備える逆方向リンクメッセージを定式化する。
【００５９】
逆方向リンクメッセージは、通信リンクおよび／または受信されたデータストリームに関するさまざまなタイプの情報を備えることができる。次に、逆方向リンクメッセージは、データ送信装置７３６から複数のデータストリームのトラヒックデータをも受け取るＴＸデータプロセッサ７３８によって処理され、変調器７８０によって変調され、送信機７５４ａから７５４ｒによって条件付けられ、送信機システム７１０に戻って伝送される。
【００６０】
送信機システム７１０では、受信機システム７５０からの変調された信号が、受信機システム７５０によって伝送されたリザーブリンクメッセージを抽出するために、アンテナ７２４によって受信され、受信機７２２によって条件付けられ、復調器７４０によって復調され、ＲＸデータプロセッサ７４２によって処理される。次に、プロセッサ７３０は、ビームフォーミング重みを判定するために使用すべきプレコーディング行列を判定し、その後、抽出されたメッセージを処理する。
【００６１】
一態様では、論理チャネルは、制御チャネルおよびトラヒックチャネルに分類される。論理制御チャネルは、システム制御情報をブロードキャストするためのＤＬチャネルであるＢＣＣＨ（Ｂｒｏａｄｃａｓｔ  Ｃｏｎｔｒｏｌ  Ｃｈａｎｎｅｌ）、ページング情報を転送するＤＬチャネルであるＰＣＣＨ（Ｐａｇｉｎｇ  Ｃｏｎｔｒｏｌ  Ｃｈａｎｎｅｌ）、１つまたは複数のＭＴＣＨのＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）のスケジューリング情報および制御情報を伝送するのに使用されるポイントツーマルチポイントＤＬチャネルであるＭＣＣＨ（Ｍｕｌｔｉｃａｓｔ  Ｃｏｎｔｒｏｌ  Ｃｈａｎｎｅｌ）を備える。一般に、ＲＲＣ接続を確立した後に、このチャネルは、ＭＢＭＳを受信するＵＥによってのみ使用される（注：旧ＭＣＣＨ＋ＭＳＣＨ）。ＤＤＣＨ（Ｄｅｄｉｃａｔｅｄ  Ｃｏｎｔｒｏｌ  Ｃｈａｎｎｅｌ）は、専用制御情報を伝送し、ＲＲＣ接続を有するＵＥによって使用される、ポイントツーポイント両方向チャネルである。一態様では、論理トラヒックチャネルは、ユーザ情報の転送用の、１つのＵＥ専用のポイントツーポイント両方向チャネルであるＤＴＣＨ（Ｄｅｄｉｃａｔｅｄ  Ｔｒａｆｆｉｃ  Ｃｈａｎｎｅｌ）を備える。また、トラヒックデータを伝送するために使用されることが可能なポイントツーマルチポイントＤＬチャネルであるＭＴＣＨ（Ｍｕｌｔｉｃａｓｔ  Ｔｒａｆｆｉｃ  Ｃｈａｎｎｅｌ）も備える。
【００６２】
一態様では、トランスポートチャネルは、ＤＬおよびＵＬに分類される。ＤＬトランスポートチャネルは、ＢＣＨ（Ｂｒｏａｄｃａｓｔ  Ｃｈａｎｎｅｌ）、ＤＬ−ＳＤＣＨ（Ｄｏｗｎｌｉｎｋ  Ｓｈａｒｅｄ  Ｄａｔａ  Ｃｈａｎｎｅｌ）、およびＰＣＨ（Ｐａｇｉｎｇ  Ｃｈａｎｎｅｌ）を備え、ＰＣＨは、ＵＥ節電（ＤＲＸサイクルは、網によってＵＥに示される）のサポート用であり、セル全体にわたってブロードキャストされ、他の制御／トラヒックチャネルのために使用できるＰＨＹリソースにマッピングされる。ＵＬトランスポートチャネルは、ＲＡＣＨ（Ｒａｎｄｏｍ  Ａｃｃｅｓｓ  Ｃｈａｎｎｅｌ）、ＲＥＱＣＨ（Ｒｅｑｕｅｓｔ  Ｃｈａｎｎｅｌ）、ＵＬ−ＳＤＣＨ（Ｕｐｌｉｎｋ  Ｓｈａｒｅｄ  Ｄａｔａ  Ｃｈａｎｎｅｌ）、および複数のＰＨＹチャネルを備える。ＰＨＹチャネルは、ＤＬチャネルおよびＵＬチャネルの組を備える。ＤＬ  ＰＨＹチャネルは、次を備えることができる。
【００６３】
ＣＰＩＣＨ（Ｃｏｍｍｏｎ  Ｐｉｌｏｔ  Ｃｈａｎｎｅｌ）
ＳＣＨ（Ｓｙｎｃｈｒｏｎｉｚａｔｉｏｎ  Ｃｈａｎｎｅｌ）
ＣＣＣＨ（Ｃｏｍｍｏｎ  Ｃｏｎｔｒｏｌ  Ｃｈａｎｎｅｌ）
ＳＤＣＣＨ（Ｓｈａｒｅｄ  ＤＬ  Ｃｏｎｔｒｏｌ  Ｃｈａｎｎｅｌ）
ＭＣＣＨ（Ｍｕｌｔｉｃａｓｔ  Ｃｏｎｔｒｏｌ  Ｃｈａｎｎｅｌ）
ＳＵＡＣＨ（Ｓｈａｒｅｄ  ＵＬ  Ａｓｓｉｇｎｍｅｎｔ  Ｃｈａｎｎｅｌ）
ＡＣＫＣＨ（Ａｃｋｎｏｗｌｅｄｇｅｍｅｎｔ  Ｃｈａｎｎｅｌ）
ＤＬ−ＰＳＤＣＨ（ＤＬ  Ｐｈｙｓｉｃａｌ  Ｓｈａｒｅｄ  Ｄａｔａ  Ｃｈａｎｎｅｌ）
ＵＰＣＣＨ（ＵＬ  Ｐｏｗｅｒ  Ｃｏｎｔｒｏｌ  Ｃｈａｎｎｅｌ）
ＰＩＣＨ（Ｐａｇｉｎｇ  Ｉｎｄｉｃａｔｏｒ  Ｃｈａｎｎｅｌ）
ＬＩＣＨ（Ｌｏａｄ  Ｉｎｄｉｃａｔｏｒ  Ｃｈａｎｎｅｌ）
ＵＬ  ＰＨＹチャネルは、次を備える。
【００６４】
ＰＲＡＣＨ（Ｐｈｙｓｉｃａｌ  Ｒａｎｄｏｍ  Ａｃｃｅｓｓ  Ｃｈａｎｎｅｌ）
ＣＱＩＣＨ（Ｃｈａｎｎｅｌ  Ｑｕａｌｉｔｙ  Ｉｎｄｉｃａｔｏｒ  Ｃｈａｎｎｅｌ）
ＡＣＫＣＨ（Ａｃｋｎｏｗｌｅｄｇｅｍｅｎｔ  Ｃｈａｎｎｅｌ）
ＡＳＩＣＨ（Ａｎｔｅｎｎａ  Ｓｕｂｓｅｔ  Ｉｎｄｉｃａｔｏｒ  Ｃｈａｎｎｅｌ）
ＳＲＥＱＣＨ（Ｓｈａｒｅｄ  Ｒｅｑｕｅｓｔ  Ｃｈａｎｎｅｌ）
ＵＬ−ＰＳＤＣＨ（ＵＬ  Ｐｈｙｓｉｃａｌ  Ｓｈａｒｅｄ  Ｄａｔａ  Ｃｈａｎｎｅｌ）
ＢＰＩＣＨ（Ｂｒｏａｄｂａｎｄ  Ｐｉｌｏｔ  Ｃｈａｎｎｅｌ）
一態様では、単一搬送波波形の低ＰＡＲ（任意の所与の時に、チャネルが、周波数において連続であるか等間隔である）特性を保つチャネル構造が提供される。
【００６５】
本開示において、次の省略形が適用される場合がある。
【００６６】
ＡＭ          Ａｃｋｎｏｗｌｅｄｇｅｄ  Ｍｏｄｅ
ＡＭＤ        Ａｃｋｎｏｗｌｅｄｇｅｄ  Ｍｏｄｅ  Ｄａｔａ
ＡＲＱ        Ａｕｔｏｍａｔｉｃ  Ｒｅｐｅａｔ  Ｒｅｑｕｅｓｔ（自動再送要求）
ＢＣＣＨ      Ｂｒｏａｄｃａｓｔ  Ｃｏｎｔｒｏｌ  ＣＨａｎｎｅｌ
ＢＣＨ        Ｂｒｏａｄｃａｓｔ  ＣＨａｎｎｅｌ
Ｃ−          Ｃｏｎｔｒｏｌ−（制御−）
ＣＣＣＨ      Ｃｏｍｍｏｎ  Ｃｏｎｔｒｏｌ  ＣＨａｎｎｅｌ
ＣＣＨ        Ｃｏｎｔｒｏｌ  ＣＨａｎｎｅｌ
ＣＣＴｒＣＨ  Ｃｏｄｅｄ  Ｃｏｍｐｏｓｉｔｅ  Ｔｒａｎｓｐｏｒｔ  Ｃｈａｎｎｅｌ
ＣＰ          Ｃｙｃｌｉｃ  Ｐｒｅｆｉｘ
ＣＲＣ        Ｃｙｃｌｉｃ  Ｒｅｄｕｎｄａｎｃｙ  Ｃｈｅｃｋ（巡回冗長検査）
ＣＴＣＨ      Ｃｏｍｍｏｎ  Ｔｒａｆｆｉｃ  ＣＨａｎｎｅｌ
ＤＣＣＨ      Ｄｅｄｉｃａｔｅｄ  Ｃｏｎｔｒｏｌ  ＣＨａｎｎｅｌ（専用制御チャネル）
ＤＣＨ        Ｄｅｄｉｃａｔｅｄ  ＣＨａｎｎｅｌ（専用チャネル）
ＤＬ          ＤｏｗｎＬｉｎｋ（ダウンリンク）
ＤＳＣＨ      Ｄｏｗｎｌｉｎｋ  Ｓｈａｒｅｄ  ＣＨａｎｎｅｌ
ＤＴＣＨ      Ｄｅｄｉｃａｔｅｄ  Ｔｒａｆｆｉｃ  ＣＨａｎｎｅｌ（専用トラヒックチャネル）
ＦＡＣＨ      Ｆｏｒｗａｒｄ  ｌｉｎｋ  Ａｃｃｅｓｓ  ＣＨａｎｎｅｌ
ＦＤＤ        Ｆｒｅｑｕｅｎｃｙ  Ｄｉｖｉｓｉｏｎ  Ｄｕｐｌｅｘ（周波数分割複信）
Ｌ１          レイヤ１（物理層）
Ｌ２          レイヤ２（データリンク層）
Ｌ３          レイヤ３（ネットワーク層）
ＬＩ          Ｌｅｎｇｔｈ  Ｉｎｄｉｃａｔｏｒ
ＬＳＢ        Ｌｅａｓｔ  Ｓｉｇｎｉｆｉｃａｎｔ  Ｂｉｔ（最下位ビット）
ＭＡＣ        Ｍｅｄｉｕｍ  Ａｃｃｅｓｓ  Ｃｏｎｔｒｏｌ（媒体アクセス制御）
ＭＢＭＳ      Ｍｕｌｔｍｅｄｉａ  Ｂｒｏａｄｃａｓｔ  Ｍｕｌｔｉｃａｓｔ  Ｓｅｒｖｉｃｅ
ＭＣＣＨ      ＭＢＭＳ  ｐｏｉｎｔ−ｔｏ−ｍｕｌｔｉｐｏｉｎｔ  Ｃｏｎｔｒｏｌ  ＣＨａｎｎｅｌ
ＭＲＷ        Ｍｏｖｅ  Ｒｅｃｅｉｖｉｎｇ  Ｗｉｎｄｏｗ
ＭＳＢ        Ｍｏｓｔ  Ｓｉｇｎｉｆｉｃａｎｔ  Ｂｉｔ（最上位ビット）
ＭＳＣＨ      ＭＢＭＳ  ｐｏｉｎｔ−ｔｏ−ｍｕｌｔｉｐｏｉｎｔ  Ｓｃｈｅｄｕｌｉｎｇ  ＣＨａｎｎｅｌ
ＭＴＣＨ      ＭＢＭＳ  ｐｏｉｎｔ−ｔｏ−ｍｕｌｔｉｐｏｉｎｔ  Ｔｒａｆｆｉｃ  ＣＨａｎｎｅｌ
ＰＣＣＨ      Ｐａｇｉｎｇ  Ｃｏｎｔｒｏｌ  ＣＨａｎｎｅｌ
ＰＣＨ        Ｐａｇｉｎｇ  ＣＨａｎｎｅｌ
ＰＤＵ        Ｐｒｏｔｏｃｏｌ  Ｄａｔａ  Ｕｎｉｔ
ＰＨＹ        ＰＨＹｓｉｃａｌ  ｌａｙｅｒ（物理層）
ＰｈｙＣＨ    Ｐｈｙｓｉｃａｌ  ＣＨａｎｎｅｌｓ
ＲＡＣＨ      Ｒａｎｄｏｍ  Ａｃｃｅｓｓ  ＣＨａｎｎｅｌ
ＲＬＣ        Ｒａｄｉｏ  Ｌｉｎｋ  Ｃｏｎｔｒｏｌ
ＲＲＣ        Ｒａｄｉｏ  Ｒｅｓｏｕｒｃｅ  Ｃｏｎｔｒｏｌ
ＳＡＰ        Ｓｅｒｖｉｃｅ  Ａｃｃｅｓｓ  Ｐｏｉｎｔ
ＳＤＵ        Ｓｅｒｖｉｃｅ  Ｄａｔａ  Ｕｎｉｔ
ＳＨＣＣＨ    ＳＨａｒｅｄ  ｃｈａｎｎｅｌ  Ｃｏｎｔｒｏｌ  ＣＨａｎｎｅｌ
ＳＮ          Ｓｅｑｕｅｎｃｅ  Ｎｕｍｂｅｒ（シーケンス番号）
ＳＵＦＩ      ＳＵｐｅｒ  ＦＩｅｌｄ
ＴＣＨ        Ｔｒａｆｆｉｃ  ＣＨａｎｎｅｌ（トラヒックチャネル）
ＴＤＤ        Ｔｉｍｅ  Ｄｉｖｉｓｉｏｎ  Ｄｕｐｌｅｘ（時分割複信）
ＴＦＩ        Ｔｒａｎｓｐｏｒｔ  Ｆｏｒｍａｔ  Ｉｎｄｉｃａｔｏｒ
ＴＭ          Ｔｒａｎｓｐａｒｅｎｔ  Ｍｏｄｅ
ＴＭＤ        Ｔｒａｎｓｐａｒｅｎｔ  Ｍｏｄｅ  Ｄａｔａ
ＴＴＩ        Ｔｒａｎｓｍｉｓｓｉｏｎ  Ｔｉｍｅ  Ｉｎｔｅｒｖａｌ
Ｕ−          Ｕｓｅｒ−（ユーザ−）
ＵＥ          Ｕｓｅｒ  Ｅｑｕｉｐｍｅｎｔ（ユーザ機器）
ＵＬ          ＵｐＬｉｎｋ（アップリンク）
ＵＭ          Ｕｎａｃｋｎｏｗｌｅｄｇｅｄ  Ｍｏｄｅ
ＵＭＤ        Ｕｎａｃｋｎｏｗｌｅｄｇｅｄ  Ｍｏｄｅ  Ｄａｔａ
ＵＭＴＳ      Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ      ＵＭＴＳ  Ｔｅｒｒｅｓｔｒｉａｌ  Ｒａｄｉｏ  Ａｃｃｅｓｓ
ＵＴＲＡＮ    ＵＭＴＳ  Ｔｅｒｒｅｓｔｒｉａｌ  Ｒａｄｉｏ  Ａｃｃｅｓｓ  Ｎｅｔｗｏｒｋ
ＭＢＳＦＮ    ｍｕｌｔｉｃａｓｔ  ｂｒｏａｄｃａｓｔ  ｓｉｎｇｌｅ  ｆｒｅｑｕｅｎｃｙ  ｎｅｔｗｏｒｋ
ＭＣＥ        ＭＢＭＳ  ｃｏｏｒｄｉｎａｔｉｎｇ  ｅｎｔｉｔｙ
ＭＣＨ        ｍｕｌｔｉｃａｓｔ  ｃｈａｎｎｅｌ（マルチキャストチャネル）
ＤＬ−ＳＣＨ  ｄｏｗｎｌｉｎｋ  ｓｈａｒｅｄ  ｃｈａｎｎｅｌ
ＭＳＣＨ      ＭＢＭＳ  ｃｏｎｔｒｏｌ  ｃｈａｎｎｅｌ
ＰＤＣＣＨ    ｐｈｙｓｉｃａｌ  ｄｏｗｎｌｉｎｋ  ｃｏｎｔｒｏｌ  ｃｈａｎｎｅｌ
ＰＤＳＣＨ    ｐｈｙｓｉｃａｌ  ｄｏｗｎｌｉｎｋ  ｓｈａｒｅｄ  ｃｈａｎｎｅｌ
本明細書で使用される時に、用語「コンポーネント」、「モジュール」、「システム」、および類似物は、ハードウェア、ファームウェア、ハードウェアおよびソフトウェアの組合せ、ソフトウェア、または実行中のソフトウェアなどであるがこれらに限定はされないコンピュータ関連のエンティティを含むことが意図されている。たとえば、コンポーネントを、プロセッサ上で動作するプロセス、プロセッサ、オブジェクト、実行可能ファイル、実行のスレッド、プログラム、および／またはコンピュータとすることができるが、これらに限定はされない。たとえば、コンピューティングデバイスで動作するアプリケーションとそのコンピューティングデバイスとの両方を、コンポーネントとすることができる。１つまたは複数のコンポーネントが、１つのプロセスおよび／または実行のスレッド内に存在することができ、１つのコンポーネントを、１つのコンピュータ上に局所化し、かつ／または複数のコンピュータの間で分散させることができる。さらに、これらのコンポーネントは、その上にさまざまなデータ構造を格納されたさまざまなコンピュータ可読媒体から実行することができる。コンポーネントは、信号によって、ローカルシステム内の別のコンポーネント、分散システム、および／または他のシステムとのインターネットなどの網全体にわたって相互作用するあるコンポーネントからのデータなど、１つまたは複数のデータパケットを有する信号によるなど、ローカルプロセスおよび／または遠隔プロセスによって通信することができる。
【００６７】
さらに、さまざまな態様を、本明細書で有線端末または無線端末とすることができる端末に関連して説明する。端末を、システム、デバイス、加入者ユニット、加入者ステーション、移動局、移動体、移動体デバイス、遠隔ステーション、遠隔端末、アクセス端末、ユーザ端末、端末、通信デバイス、ユーザエージェント、ユーザデバイス、またはユーザ機器（ＵＥ）と呼ぶこともできる。無線端末を、セル電話、衛星電話、コードレス電話、ＳＩＰ（Ｓｅｓｓｉｏｎ  Ｉｎｉｔｉａｔｉｏｎ  Ｐｒｏｔｏｃｏｌ）電話、ＷＬＬ（ｗｉｒｅｌｅｓｓ  ｌｏｃａｌ  ｌｏｏｐ）ステーション、携帯情報端末（ＰＤＡ）、無線接続機能を有するハンドヘルドデバイス、コンピューティングデバイス、または無線モデムに接続された他の処理デバイスとすることができる。さらに、さまざまな態様を、本明細書で基地局に関連して説明する。基地局を、無線端末（１つまたは複数）と通信するのに利用することができ、アクセスポイント、Ｎｏｄｅ  Ｂ、またはある他の用語で呼ぶこともできる。
【００６８】
さらに、用語「または」は、排他的な「または」ではなく包括的な「または」を意味することが意図されている。すなわち、そうではないと指定されるか文脈から明白である場合を除いて、句「ＸはＡまたはＢを使用する」は、自然に包括的な順列のすべてを意味することが意図されている。すなわち、句「ＸはＡまたはＢを使用する」は、ＸはＡを使用する、ＸはＢを使用する、またはＸはＡとＢとの両方を使用するという実例のいずれによっても満足される。さらに、冠詞「ａ」および「ａｎ」は、本願および添付の特許請求の範囲で使用される時に、そうではないと指定されるか文脈から単数形に向けられることが明白である場合を除いて、一般に「１つまたは複数」を意味すると解釈されなければならない。
【００６９】
本明細書で説明する技法を、符号分割多元接続、時分割多元接続、周波数分割多元接続、直交周波数分割多元接続、ＳＣ−ＦＤＭＡ、および他のシステムなどのさまざまな無線通信システムに使用することができる。用語「システム」、「網」、および「ネットワーク」は、しばしば交換可能に使用される。符号分割多元接続システムは、ＵＴＲＡ（Ｕｎｉｖｅｒｓａｌ  Ｔｅｒｒｅｓｔｒｉａｌ  Ｒａｄｉｏ  Ａｃｃｅｓｓ）、ｃｄｍａ２０００、その他などの無線テクノロジを実施することができる。ＵＴＲＡは、Ｗ−ＣＤＭＡ（Ｗｉｄｅｂａｎｄ−ＣＤＭＡ）および符号分割多元接続の他の変形を含む。さらに、ｃｄｍａ２０００は、ＩＳ−２０００標準規格、ＩＳ−９５標準規格、およびＩＳ−８５６標準規格を包含する。時分割多元接続システムは、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）などの無線テクノロジを実施することができる。直交周波数分割多元接続システムは、Ｅ−ＵＴＲＡ（Ｅｖｏｌｖｅｄ  ＵＴＲＡ）、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭその他などの無線テクノロジを実施することができる。ＵＴＲＡおよびＥ−ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ＬＴＥ（Ｌｏｎｇ  Ｔｅｒｍ  Ｅｖｏｌｕｔｉｏｎ）は、Ｅ−ＵＴＲＡを使用するＵＭＴＳのリリースであり、Ｅ−ＵＴＲＡは、ダウンリンクで直交周波数分割多元接続、アップリンクでＳＣ−ＦＤＭＡを使用する。ＵＴＲＡ、Ｅ−ＵＴＲＡ、ＵＭＴＳ、ＬＴＥ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。さらに、そのような無線通信システムは、さらに、対にされない免許不要のスペクトル、８０２．ｘｘ無線ＬＡＮ、ＢＬＵＥＴＯＯＴＨ（登録商標）、および任意の他の短距離または長距離の無線通信技法をしばしば使用する、ピアツーピア（たとえば、移動体対移動体）アドホック網システムを含むことができる。
【００７０】
さまざまな態様または特徴を、複数のデバイス、コンポーネント、モジュール、および類似物を含むことができるシステムに関して提示する。これらのさまざまなシステムが、追加のデバイス、コンポーネント、モジュールなどを含むことができ、かつ／または図面に関連して述べられるデバイス、コンポーネント、モジュールなどのすべては含まない場合があることを理解し、了解されたい。これらの手法の組合せを使用することもできる。
【００７１】
本明細書で開示される態様に関連して説明されたさまざまな例示的な論理、論理ブロック、モジュール、および回路を、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェアコンポーネント、または本明細書で説明される機能を実行するように設計されたその任意の組合せを用いて実施しまたは実行することができる。汎用プロセッサは、マイクロプロセッサとすることができるが、代替案では、プロセッサを、任意の従来のプロセッサ、コントローラ、マイクロコントローラ、または状態機械とすることができる。プロセッサを、コンピューティングデバイスの組合せ、たとえば、ＤＳＰおよびマイクロプロセッサの組合せ、複数のマイクロプロセッサ、ＤＳＰコアに関連する１つまたは複数のマイクロプロセッサ、または任意の他のそのような構成として実施することもできる。さらに、少なくとも１つのプロセッサは、上で説明したステップおよび／またはアクションのうちの１つまたは複数を実行するように動作可能な１つまたは複数のモジュールを備えることができる。
【００７２】
さらに、本明細書で開示される態様に関連して説明される方法またはアルゴリズムのステップおよび／またはアクションを、ハードウェアで直接に、プロセッサによって実行されるソフトウェアモジュールで、またはこの２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で既知のすべての他の形の記憶媒体に存在することができる。例示的な記憶媒体は、プロセッサが記憶媒体から情報を読み取り、記憶媒体に情報を書き込むことができるように、プロセッサに結合され得る。代替案では、記憶媒体を、プロセッサと一体とすることができる。さらに、いくつかの態様では、プロセッサおよび記憶媒体が、１つのＡＳＩＣ内に存在することができる。さらに、このＡＳＩＣが、ユーザ端末内に存在することができる。代替案では、プロセッサおよび記憶媒体は、ユーザ端末内に別個のコンポーネントとして存在することができる。さらに、いくつかの態様では、方法またはアルゴリズムのステップおよび／またはアクションが、コンピュータプログラム製品に組み込むことができる機械可読媒体および／またはコンピュータ可読媒体上のコードおよび／または命令のうちの１つまたは任意の組合せまたはセットとして存在することができる。
【００７３】
１つまたは複数の態様では、説明された機能を、ハードウェア、ソフトウェア、ファームウェア、またはその任意の組合せで実施することができる。ソフトウェアで実施される場合に、機能を、コンピュータ可読媒体上の１つまたは複数の命令またはコードとして格納し、あるいは伝送することができる。コンピュータ可読媒体は、コンピュータ記憶媒体と、ある場所から別の場所へのコンピュータプログラムの転送を容易にするすべての媒体を含む通信媒体との両方を含む。記憶媒体は、コンピュータによってアクセスできるすべての使用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令もしくはデータ構造の形で所望のプログラムコードを担持しまたは格納するのに使用でき、コンピュータによってアクセスできる任意の他の媒体を備えることができる。また、すべての接続を、コンピュータ可読媒体と呼ぶことができる。たとえば、ソフトウェアが、ウェブサイト、サーバ、または他の遠隔ソースから同軸ケーブル、光ファイバケーブル、より対線、ディジタル加入者回線（ＤＳＬ）、または赤外線、ラジオ、およびマイクロ波などの無線テクノロジを使用して伝送される場合に、同軸ケーブル、光ファイバケーブル、より対線、ＤＳＬ、または赤外線、ラジオ、およびマイクロ波などの無線テクノロジは、媒体の定義に含まれる。ディスク（ｄｉｓｋ  ａｎｄ  ｄｉｓｃ）は、本明細書で使用される時に、コンパクトディスク（ＣＤ）、レーザディスク、光ディスク、ディジタル多用途ディスク（ＤＶＤ）、フロッピディスク、およびｂｌｕ−ｒａｙディスクを含み、ｄｉｓｋは、通常はデータを磁気的に再生し、ｄｉｓｃは、通常はレーザを用いてデータを光学的に再生する。上記の組合せも、コンピュータ可読媒体の範囲に含まれなければならない。
【００７４】
前述の開示は、例示的な態様および／または態様を述べるが、さまざまな変更および修正を添付の特許請求の範囲によって定義される説明された態様および／または態様の範囲から逸脱せずに行うことができることに留意されたい。さらに、説明された態様および／または態様の要素は、単数形で説明されまたは請求される場合があるが、単数形に対する限定が明示的に述べられない限り、複数形が企図されている。さらに、そうではないと述べられない限り、すべての態様および／または態様のすべてまたは一部を、任意の他の態様および／または態様のすべてまたは部分と共に利用することができる。
以下に、本願出願の当初の特許請求の範囲に記載された発明を付記する。
［１］  基地局で、移動体デバイスから性能測定値および位置データを得ることと、
前記基地局で、前記位置データに基づいて、前記入手された測定値の少なくとも一部をストレージアレイの少なくとも１つの仮想地理ビンに格納することであって、各仮想地理ビンは、前記基地局によってサービスされるセル内の異なる地理区域に対応する、格納することと、
前記基地局で、各仮想地理ビンに格納された前記測定値の少なくとも一部を１つまたは複数の位置ベースの性能測定値に集約することと、
前記基地局から、前記位置ベースの性能測定値の少なくとも一部を網マネージャに伝送することと
を備える、無線網の性能測定値を生成する方法。
［２］  前記性能測定値の前記少なくとも一部を格納する前に、前記受け取られた性能測定値から前記移動体デバイスを個別に識別する性能測定値を除去すること
をさらに備える、［１］に記載の方法。
［３］  前記網マネージャから情報を受信し、前記伝送されたデータに応答して、定義された地理領域のうちの少なくとも１つを再定義するように前記基地局に促すこと
をさらに備える、［１］に記載の方法。
［４］  移動体デバイスから性能測定値および位置データを得ることは、
基地局で、カバレージおよびサービスの品質ならびに位置データを測定し、前記測定値を前記基地局に報告するように少なくとも１つの移動体デバイスを構成することと、
前記基地局で、カバレージ品質測定値、サービス品質測定値、および位置データを前記移動体デバイスから受信することと
をさらに備える、［１］に記載の方法。
［５］  前記集約することは、１つまたは複数の位置ベースの性能測定値を生成するために、複数の仮想地理ビンからの前記入手された測定値の少なくとも一部を集約することをさらに備える、［１］に記載の方法。
［６］  前記基地局で、前記位置ベースの性能測定値を性能測定値ファイルにフォーマットすることであって、前記性能測定値ファイルは、前記網マネージャによって認識可能になるようにフォーマットされる、フォーマットすること
をさらに備え、前記伝送することは、前記性能測定値ファイルの少なくとも一部を前記網マネージャに伝送することをさらに備える、［１］に記載の方法。
［７］  前記性能測定値は、
前記無線デバイスからアクセス可能な基地局あたりの前記無線デバイスで受信された信号電力、
前記無線デバイスからアクセス可能な各基地局の搬送波対干渉比、
無線デバイス伝送電力、
無線デバイスブロックヘッダレート、
無線デバイスバッファ状況、または
コールドロップ状況
のうちの少なくとも１つを含む、［１］に記載の方法。
［８］  前記位置データは、緯度および経度データまたは網位置データを含む、［１］に記載の方法。
［９］  前記格納することは、前記性能測定値が受け取られる時に前記性能測定値として前記少なくとも一部を前記仮想地理ビン内に格納することをさらに備える、［１］に記載の方法。
［１０］  前記仮想地理ビンは、複数の時間期間に論理的に分割され、前記格納することは、前記性能測定値が受け取られた時刻に従って前記仮想地理ビンの選択された分割に前記性能測定値として前記少なくとも一部を格納することをさらに備える、［１］に記載の方法。
［１１］  前記仮想地理ビンに対応する前記定義された地理区域は、前記基地局によってサービスされる前記セル全体にわたって連続的に均一に分布する、［１］に記載の方法。
［１２］  前記仮想地理ビンは、前記基地局によってサービスされる前記セルを通って定義される方向に対応する定義されたデカルト座標に連続的に分布する、［１］に記載の方法。
［１３］  前記仮想地理ビンは、前記基地局を中心とする定義された極座標を用いて前記基地局によってサービスされる前記セルに連続的に分布する、［１］に記載の方法。
［１４］  前記仮想地理ビンは、前記網マネージャによって事前に決定される位置で仮想地理ビンのより高い密度を伴って、前記基地局によってサービスされる前記セル全体にわたって不均一に連続的に分布する、［１］に記載の方法。
［１５］  前記集約されたデータの少なくとも一部を伝送することは、
トリガするイベントが発生したかどうかを判定することと、
前記トリガするイベントが発生したことの判定の際に、伝送されるべき前記集約されたデータの少なくとも所定の部分を準備することと
をさらに備える、［１］に記載の方法。
［１６］  前記トリガするイベントは、
時間の所定の持続時間の経過、
前記ストレージアレイでの所定の個数の入力の受取、
前記ストレージアレイでの所定の個数の少なくとも１つの性能測定値入力の受取、または
前記網マネージャからの要求の受取
のうちの少なくとも１つを含む、［１５］に記載の方法。
［１７］  基地局で、移動体デバイスから性能測定値および位置データを得るための第１モジュールと、
前記基地局で、前記位置データに基づいて、前記入手された測定値の少なくとも一部をストレージアレイの少なくとも１つの仮想地理ビンに格納するための第２モジュールであって、各仮想地理ビンは、前記基地局によってサービスされるセル内の異なる地理区域に対応する、第２モジュールと、
前記基地局で、各仮想地理ビンに格納された前記測定値の少なくとも一部を１つまたは複数の位置ベースの性能測定値に集約することを前記基地局で集約するための第３モジュールと、
前記基地局から、前記位置ベースの性能測定値の少なくとも一部を網マネージャに伝送するための第４モジュールと
を備える、無線網の性能測定値を生成するように構成された少なくとも１つのプロセッサ。
［１８］    コンピュータに、移動体デバイスから性能測定値および位置データを入手させるためのコードの第１組と、
前記コンピュータに、前記位置データに基づいて、前記入手された測定値の少なくとも一部をストレージアレイの少なくとも１つの仮想地理ビンに格納させるためのコードの第２組であって、各仮想地理ビンは、前記基地局によってサービスされるセル内の異なる地理区域に対応する、第２組と、
前記コンピュータに、各仮想地理ビンに格納された前記測定値の少なくとも一部を１つまたは複数の位置ベースの性能測定値に集約させるためのコードの第３組と、
前記コンピュータに、前記位置ベースの性能測定値の少なくとも一部を網マネージャに伝送させるためのコードの第４組と
を備えるコンピュータ可読媒体を備えるコンピュータプログラム製品。
［１９］  基地局で、移動体デバイスから性能測定値および位置データを得る手段と、
前記基地局で、前記位置データに基づいて、前記入手された測定値の少なくとも一部をストレージアレイの少なくとも１つの仮想地理ビンに格納する手段であって、各仮想地理ビンは、前記基地局によってサービスされるセル内の異なる地理区域に対応する、格納する手段と、
前記基地局で、各仮想地理ビンに格納された前記測定値の少なくとも一部を１つまたは複数の位置ベースの性能測定値に集約する手段と、
前記基地局から、前記位置ベースの性能測定値の少なくとも一部を網マネージャに伝送する手段と
を備える装置。
［２０］  移動体デバイスから性能測定値および位置データを得るように動作可能な受信機と、
前記位置データに基づいて、前記入手された測定値の少なくとも一部をストレージアレイの少なくとも１つの仮想地理ビンに格納するように動作可能なストレージモジュールであって、各仮想地理ビンは、前記基地局によってサービスされるセル内の異なる地理区域に対応する、ストレージモジュールと、
各仮想地理ビンに格納された前記測定値の少なくとも一部を１つまたは複数の位置ベースの性能測定値に集約するように動作可能な処理モジュールと、
前記位置ベースの性能測定値の少なくとも一部を網マネージャに伝送するように動作可能な送信機と
を備える装置。
［２１］  前記ストレージモジュールは、前記性能測定値の前記少なくとも一部を格納する前に、前記受け取られた性能測定値から前記移動体デバイスを個別に識別する性能測定値を除去するようにさらに動作可能である、［２０］に記載の装置。
［２２］  少なくともカバレージ品質、サービス品質、および位置データを含む性能測定値を測定し、前記測定値を前記基地局に報告するように少なくとも１つの移動体デバイスを構成するように動作可能な構成モジュールをさらに備える、［２０］に記載の装置。
［２３］  前記処理モジュールは、１つまたは複数の位置ベースの性能測定値を生成するために、複数の仮想地理ビンからの前記入手された測定値の少なくとも一部を集約するようにさらに動作可能である、［２０］に記載の装置。
［２４］  前記処理モジュールは、前記位置ベースの性能測定値を性能測定値ファイルにフォーマットするようにさらに動作可能であり、前記性能測定値ファイルは、前記網マネージャによって認識可能になるようにフォーマットされ、
前記送信機は、前記性能測定値ファイルの少なくとも一部を前記網マネージャに伝送するようにさらに動作可能である
［２０］に記載の装置。
［２５］  前記受信機は、前記網マネージャから情報を受信し、前記伝送されたデータに応答して、定義された地理領域のうちの少なくとも１つを再定義するように前記基地局に促すようにさらに動作可能である、［２０］に記載の装置。
［２６］  前記性能測定値は、
前記無線デバイスからアクセス可能な基地局あたりの前記無線デバイスで受信された信号電力、
前記無線デバイスからアクセス可能な各基地局の搬送波対干渉比、
無線デバイス伝送電力、
無線デバイスブロックヘッダレート、
無線デバイスバッファ状況、または
コールドロップ状況
のうちの少なくとも１つを含む、［２０］に記載の装置。
［２７］  前記位置データは、緯度および経度データまたは網位置データを含む、［２０］に記載の装置。
［２８］  前記ストレージモジュールは、前記性能測定値が受け取られる時に前記性能測定値として前記少なくとも一部を前記仮想地理ビン内に格納するようにさらに動作可能である、［２０］に記載の装置。
［２９］  前記処理モジュールは、
各仮想地理ビンを複数の時間期間に論理的に分割し、
前記性能測定値が受け取られた時刻に従って前記仮想地理ビンの選択された分割に前記性能測定値として前記少なくとも一部を格納する
ようにさらに動作可能である、［２０］に記載の装置。
［３０］  前記仮想地理ビンに対応する前記定義された地理区域は、前記基地局によってサービスされる前記セル全体にわたって連続的に均一に分布する、［２０］に記載の装置。
［３１］  前記仮想地理ビンは、前記基地局によってサービスされる前記セルを通って定義される方向に対応する定義されたデカルト座標に連続的に分布する、［２０］に記載の装置。
［３２］  前記仮想地理ビンは、前記基地局を中心とする定義された極座標を用いて前記基地局によってサービスされる前記セルに連続的に分布する、［２０］に記載の装置。
［３３］  前記仮想地理ビンは、前記網マネージャによって事前に決定される位置で仮想地理ビンのより高い密度を伴って、前記基地局によってサービスされる前記セル全体にわたって不均一に連続的に分布する、［２０］に記載の装置。
［３４］  トリガするイベントが発生したかどうかを判定し、
前記トリガするイベントが発生したことの判定の際に、伝送されるべき前記集約されたデータの少なくとも所定の部分を準備する
ように動作可能な報告モジュールをさらに備える、［２０］に記載の装置。
［３５］  前記トリガするイベントは、
時間の所定の持続時間の経過、
前記ストレージアレイでの所定の個数の入力の受取、
前記ストレージアレイでの所定の個数の少なくとも１つの性能測定値入力の受取、または
前記網マネージャからの要求の受取
のうちの少なくとも１つを含む、［３４］に記載の装置。
［３６］  前記処理モジュールは、格納測定値の少なくとも一部を集約するよう動作可能で、さらに圧縮形式で格納測定値を集約する［２０］に記載の装置。
［３７］  前記送信機は、さらに集約された格納測定値、前記格納測定値の非集約形式に関して削減されバックホール通信リンクを介して伝送することに関するバックホールトラフィックデータの量に基づいて、バックホール通信リンクを介して前記位置ベースの性能測定値の少なくとも一部を送信するよう動作可能な［２０］に記載の装置。
［３８］  さらに、前記網マネージャーから構成変更を受信するよう動作可能な受信機を備え、前記構成変更は前記集約された性能測定値に基づき、ネットワークカバーレッジまたはネットワークキャパシティを改善する［２０］に記載の装置。
［３９］  さらに、前記網マネージャーから構成変更を受信するよう動作可能な受信機を備え、前記構成変更は前記集約された性能測定値に基づき、アンテナチルトまたはアジマス変更の少なくとも１つを備える［２０］に記載の装置。
［４０］  さらに、前記網マネージャーから構成変更を受信するよう動作可能な受信機を備え、前記構成変更は前記集約された性能測定値に基づき、キャパシティディメンショニングまたは経費計画の少なくとも１つを変更する［２０］に記載の装置。
［４１］  前記少なくとも一部の格納測定値を集約することは、さらに圧縮形式で前記格納測定値の少なくとも一部を集約することを備える［１］に記載の方法。
［４２］  前記伝送することは、さらに、集約された格納測定値、前記格納測定値の非集約形式に関して削減されバックホール通信リンクを介して伝送することに関するバックホールトラフィックデータの量に基づいて、バックホール通信リンクを介して前記位置ベースの性能測定値の少なくとも一部を送信することを備える［１］に記載の方法。
［４３］  さらに、前記網マネージャーから構成変更を受信することを備え、前記構成変更は前記集約された性能測定値に基づき、ネットワークカバーレッジまたはネットワークキャパシティを改善する［１］に記載の方法。
［４４］  さらに、前記網マネージャーから構成変更を受信することを備え、前記構成変更は前記集約された性能測定値に基づき、アンテナチルトまたはアジマス変更の少なくとも１つを備える［１］に記載の方法。
［４５］  さらに、前記網マネージャーから構成変更を受信することを備え、前記構成変更は前記集約された性能測定値に基づき、キャパシティディメンショニングまたは経費計画の少なくとも１つを変更する［１］に記載の方法。
【図１】
0005784571.tif 000002
【図２】
0005784571.tif 000003
【図３】
0005784571.tif 000004
【図４Ａ】
0005784571.tif 000005
【図４Ｂ】
0005784571.tif 000006
【図４Ｃ】
0005784571.tif 000007
【図５】
0005784571.tif 000008
【図６】
0005784571.tif 000009
【図７】
0005784571.tif 000010